(57)【要約】【課題】各台計数システムにおける遊技者の利便性を向上すること。【解決手段】遊技機２に１対１に対応し、該遊技機にて獲得された獲得玉数を計数し、該計数された獲得玉数の一部を払出す遊技媒体計数装置４と通信可能であって、遊技用価値特定情報が記録された遊技用記録媒体を受付けて、該遊技用記録媒体に記録されている遊技用価値特定情報から特定される遊技用価値の少なくとも一部を使用して遊技媒体を貸出す遊技用装置３において、遊技媒体計数装置４から受信した持玉数を、受付け中の遊技用記録媒体により特定可能とするための特定化処理を行い、遊技者の排出操作の検知に応じて、遊技用価値特定情報が記録され、前記特定化処理がなされた遊技用記録媒体を排出する。【選択図】図１７
2010051551.tif 000002
【特許請求の範囲】
【請求項１】
遊技機に１対１に対応して設けられ、かつ対応する遊技機における遊技にて獲得された遊技媒体数を計数するとともに、該計数された獲得遊技媒体数の範囲内の玉数を対応する遊技機に払出す遊技媒体計数装置と通信可能であり、
遊技機における遊技に使用可能な遊技用価値の大きさを特定可能な遊技用価値特定情報が記録された遊技用記録媒体を受付けて、該受付けた遊技用記録媒体に記録されている遊技用価値特定情報を少なくとも読み出す記録媒体処理手段と、
前記記録媒体処理手段にて読み出した遊技用価値特定情報から特定される遊技用価値の大きさの少なくとも一部を使用し、該使用する遊技用価値の大きさに相当する遊技媒体を貸出すための遊技媒体貸出し手段と、
前記遊技媒体計数装置との通信を行う計数装置通信手段と、
前記遊技用記録媒体を排出するための排出操作を検知する排出操作検知手段と、
を備える遊技用装置であって、
前記計数装置通信手段にて前記遊技媒体計数装置から受信した獲得遊技媒体数を、前記記録媒体処理手段に受付け中の遊技用記録媒体により特定可能とするための特定化処理を行う特定化処理手段と、をさらに備え、
前記排出操作検知手段による排出操作の検知に応じて、前記遊技用価値特定情報が記録され、前記特定化処理がなされた前記記録媒体処理手段に受付け中の遊技用記録媒体を排出することを特徴とする遊技用装置。
【請求項２】
前記特定化処理手段は、前記特定化処理として、前記遊技媒体計数装置において遊技媒体の計数が実施されることにより該遊技媒体計数装置から送信される獲得遊技媒体数を受信する毎に、該受信した獲得遊技媒体数を前記記録媒体処理手段に受付け中の遊技用記録媒体に記録するための処理を行うことを特徴とする請求項１に記載の遊技用装置。
【請求項３】
前記特定化処理手段は、前記特定化処理として、前記遊技媒体計数装置における計数に基づく獲得遊技媒体数を前記記録媒体処理手段に受付け中の遊技用記録媒体に記録するための処理を行い、
前記遊技媒体計数装置において遊技媒体の計数が開始されたことに応じて該遊技媒体計数装置から送信される計数開始通知を受信した時点から、該開始された遊技媒体の計数が終了したことに応じて該遊技媒体計数装置から送信される該計数に基づく獲得遊技媒体数を特定可能な計数終了通知を受信することにより、該計数終了通知から特定される獲得遊技媒体数を遊技用記録媒体に記録するための前記特定化処理が完了した旨を特定可能な計数終了応答を該遊技媒体計数装置に返信する時点まで、前記排出操作検知手段による排出操作の検知に応じた遊技用記録媒体の排出を禁止することを特徴とする請求項１または２に記載の遊技用装置。
【請求項４】
前記遊技用記録媒体は、前記獲得遊技媒体数が記録されず、該獲得遊技媒体数が対応付けて管理される情報であって遊技場に会員登録した各会員遊技者を個々に識別可能な会員識別情報が記録された会員用記録媒体と、該会員識別情報が記録されず、前記獲得遊技媒体数が記録される一般用記録媒体とを含み、
前記記録媒体処理手段に前記会員用記録媒体を受付け中において、前記遊技媒体計数装置から計数終了通知を受信したときには、該計数終了通知から特定される獲得遊技媒体数を受付け中の会員用記録媒体に記録することなく前記計数終了応答を返信することを特徴とする請求項３に記載の遊技用装置。
【請求項５】
前記特定化処理手段は、前記特定化処理として、前記遊技媒体計数装置における計数に基づく獲得遊技媒体数を前記記録媒体処理手段に受付け中の遊技用記録媒体に記録するための処理を行い、
前記記録媒体処理手段に、前記獲得遊技媒体数が記録された遊技用記録媒体を受付け中に、前記遊技媒体計数装置において遊技媒体の払出操作が行われた旨を特定可能な払出開始通知を該遊技媒体計数装置から受信した時点から、該払出操作に応じて前記遊技媒体計数装置において払出される遊技媒体数を減じた新たな獲得遊技媒体数を該受付け中の遊技用記録媒体に更新記録する減算処理が完了した旨を特定可能な減算終了通知を該遊技媒体計数装置に返信する時点まで、前記排出操作検知手段による排出操作の検知に応じた遊技用記録媒体の排出を禁止することを特徴とする請求項１〜４のいずれかに記載の遊技用装置。
【請求項６】
前記遊技用記録媒体は、前記獲得遊技媒体数が記録されず、該獲得遊技媒体数が対応付けて管理される情報であって遊技場に会員登録した各会員遊技者を個々に識別可能な会員識別情報が記録された会員用記録媒体と、該会員識別情報が記録されず、前記獲得遊技媒体数が記録される一般用記録媒体とを含み、
前記記録媒体処理手段に前記会員用記録媒体を受付け中において、前記遊技媒体計数装置から払出開始通知を受信したときには、前記減算処理を実施することなく前記減算終了通知を返信することを特徴とする請求項５に記載の遊技用装置。
【請求項７】
前記遊技者が遊技を中断するための離席操作を受付けるための離席操作受付け手段を備え、
前記離席操作の受付けに応じて、前記遊技媒体計数装置に対し、離席モードを開始する旨を特定可能な離席モード開始通知を送信し、前記記録媒体処理手段に受付け中の遊技用記録媒体から読み出した、該遊技用記録媒体を特定可能な記録媒体識別情報を記憶して該遊技用記録媒体を排出するとともに、遊技用記録媒体の受付け以外の操作を禁止して離席モードを開始し、離席モード中に受付けた遊技用記録媒体から読み出した記録媒体識別情報が、該離席モードの開始時に記憶した前記記録媒体識別情報と一致することを条件に、離席モードを終了する旨を特定可能な離席モード終了通知を前記遊技媒体計数装置に送信するとともに、前記操作の禁止を解除して離席モードを終了することを特徴とする請求項１〜６のいずれかに記載の遊技用装置。
【発明の詳細な説明】
【技術分野】
【０００１】
本発明は、遊技機に１対１に対応して設けられ、かつ対応する遊技機における遊技にて獲得された遊技媒体数を計数するとともに、該計数された獲得遊技媒体数の範囲内の玉数を対応する遊技機に払出す遊技媒体計数装置と通信可能であり、遊技に使用可能な遊技用価値の大きさを特定可能な遊技用価値特定情報が記録された遊技用記録媒体を受付けて、該受付けた遊技用記録媒体に記録されている遊技用価値特定情報から特定される遊技用価値の大きさの少なくとも一部を使用し、該使用する遊技用価値の大きさに相当する遊技媒体を貸出すための処理を行う遊技用装置に関する。
【背景技術】
【０００２】
従来、パチンコ機の設置場所において、当該パチンコ機にて獲得されたパチンコ玉を計数することのできる各台計数システムとしては、パチンコ機である各カードリーダ（ＣＲ）パチンコ機毎に景品球を計数する景品球計数機を設置するとともに、プリペイドカードを受付けるために各カードリーダ（ＣＲ）パチンコ機間に設置されるカードリーダ（ＣＲ）ユニットに隣接して、景品球計数機にて一旦計数されたパチンコ玉を返却する返却装置を設置するものがある（例えば、特許文献１参照）。
【０００３】
【特許文献１】特開平１０−１５１２６３号公報（第５頁、第２図）
【発明の開示】
【発明が解決しようとする課題】
【０００４】
しかしながら、特許文献１の各台計数システムにあっては、遊技者が遊技を終了してカードリーダ（ＣＲ）パチンコ機を離れる際には、返却装置に接続された電装部に設けられている発券口から、景品球計数機にて計数された球数に相当するデータが記録された記録媒体である景品交換券の発行を受けるとともに、カードリーダ（ＣＲ）ユニットからも記録媒体であるプリペイドカードの返却を受け、これら２つの記録媒体を所持しなければならず、いずれかの記録媒体の取り忘れが生じ易く、遊技者にとって利便性が悪いという問題があった。
【０００５】
本発明は、このような問題点に着目してなされたもので、各台計数システムにおける遊技者の利便性を向上することのできる遊技用装置を提供することを目的とする。
【課題を解決するための手段】
【０００６】
上記課題を解決するために、本発明の請求項１に記載の遊技用装置は、
遊技機（パチンコ機２）に１対１に対応して設けられ、かつ対応する遊技機における遊技にて獲得された遊技媒体数（獲得玉数）を計数するとともに、該計数された獲得遊技媒体数の範囲内の玉数を対応する遊技機に払出す遊技媒体計数装置（計数・払出ユニット４）と通信可能であり、
遊技機における遊技に使用可能な遊技用価値（プリペイド残額）の大きさを特定可能な遊技用価値特定情報（プリペイド残額データ、（会員）カードＩＤ）が記録された遊技用記録媒体（会員カード、ビジターカード）を受付けて、該受付けた遊技用記録媒体に記録されている遊技用価値特定情報を少なくとも読み出す記録媒体処理手段（カードリーダライタ３２７）と、
前記記録媒体処理手段にて読み出した遊技用価値特定情報から特定される遊技用価値の大きさの少なくとも一部を使用し、該使用する遊技用価値の大きさに相当する遊技媒体を貸出すための遊技媒体貸出し手段（制御ユニット３２８、貸出処理）と、
前記遊技媒体計数装置との通信を行う計数装置通信手段（通信部３３５）
前記遊技用記録媒体を排出するための排出操作を検知する排出操作検知手段（制御ユニット３２８、Ｓｂ５）と、
を備える遊技用装置（カードユニット３）であって、
前記計数装置通信手段にて前記遊技媒体計数装置から受信した獲得遊技媒体数（計数終了通知に含まれる持玉数）を、前記記録媒体処理手段に受付け中の遊技用記録媒体により特定可能とするための特定化処理（計数対応処理）を行う特定化処理手段（制御ユニット３２８）と、をさらに備え、
前記排出操作検知手段による排出操作の検知に応じて、前記遊技用価値特定情報が記録され、前記特定化処理がなされた前記記録媒体処理手段に受付け中の遊技用記録媒体を排出することを特徴としている。
この特徴によれば、獲得遊技媒体数が受付け中の遊技用記録媒体により特定可能とされるため、遊技者が、遊技を終了して遊技機を離れる際には、遊技用記録媒体のみの返却を受けて所持すれば良いので、遊技者の利便性を向上することができる。
【０００７】
本発明の請求項２に記載の遊技用装置は、請求項１に記載の遊技用装置であって、
前記特定化処理手段（制御ユニット３２８）は、前記特定化処理（計数対応処理）として、前記遊技媒体計数装置（計数・払出ユニット４）において遊技媒体（パチンコ玉）の計数が実施されることにより該遊技媒体計数装置から送信される獲得遊技媒体数（持玉数）を受信する毎に、該受信した獲得遊技媒体数を前記記録媒体処理手段に受付け中の遊技用記録媒体（ビジターカード）に記録するための処理を行うことを特徴としている。
この特徴によれば、遊技媒体計数装置における遊技媒体の計数に応じて獲得遊技媒体数が逐次、遊技用記録媒体に記録されるので、遊技媒体計数装置との接続に不具合が生じた場合の遊技者の不利益の発生を低減できるばかりか、排出操作の検知に応じて、迅速に遊技用記録媒体を排出することができる。
【０００８】
本発明の請求項３に記載の遊技用装置は、請求項１または２に記載の遊技用装置であって、
前記特定化処理手段（制御ユニット３２８）は、前記特定化処理（計数対応処理）として、前記遊技媒体計数装置（計数・払出ユニット４）における計数に基づく獲得遊技媒体数（持玉数）を前記記録媒体処理手段（カードリーダライタ３２７）に受付け中の遊技用記録媒体（ビジターカード）に記録するための処理を行い、
前記遊技媒体計数装置において遊技媒体（パチンコ玉）の計数が開始されたことに応じて該遊技媒体計数装置から送信される計数開始通知を受信した時点から、該開始された遊技媒体の計数が終了したことに応じて該遊技媒体計数装置から送信される該計数に基づく獲得遊技媒体数を特定可能な計数終了通知を受信することにより、該計数終了通知から特定される獲得遊技媒体数を遊技用記録媒体に記録するための前記特定化処理が完了した旨を特定可能な計数終了応答を該遊技媒体計数装置に返信する時点まで、前記排出操作検知手段による排出操作の検知に応じた遊技用記録媒体の排出を禁止することを特徴としている。
この特徴によれば、計数終了通知から特定される獲得遊技媒体数の遊技用記録媒体への記録が完了する以前に、遊技用記録媒体が排出されてしまうことによる遊技者の不利益の発生を回避することができる。
【０００９】
本発明の請求項４に記載の遊技用装置は、請求項３に記載の遊技用装置であって、
前記遊技用記録媒体は、前記獲得遊技媒体数が記録されず、該獲得遊技媒体数（持玉数）が対応付けて管理される情報であって遊技場に会員登録した各会員遊技者を個々に識別可能な会員識別情報（会員ＩＤ）が記録された会員用記録媒体（会員カード）と、該会員識別情報が記録されず、前記獲得遊技媒体数（持玉数）が記録される一般用記録媒体（ビジターカード）とを含み、
前記記録媒体処理手段（カードリーダライタ３２７）に前記会員用記録媒体を受付け中において、前記遊技媒体計数装置（計数・払出ユニット４）から計数終了通知を受信したときには、該計数終了通知から特定される獲得遊技媒体数を受付け中の会員用記録媒体に記録することなく前記計数終了応答を返信することを特徴としている。
この特徴によれば、遊技媒体計数装置との送受信内容が、会員用記録媒体と一般用記録媒体との受付け時において同じとされることで、これら記録媒体の種別毎に、異なる通信用プログラムを開発したり異なる通信用プログラムを用いる必要がないので、開発コストの削減やプログラム容量の削減ができる。
【００１０】
本発明の請求項５に記載の遊技用装置は、請求項１〜４のいずれかに記載の遊技用装置であって、
前記特定化処理手段（制御ユニット３２８）は、前記特定化処理として、前記遊技媒体計数装置における計数に基づく獲得遊技媒体数を前記記録媒体処理手段に受付け中の遊技用記録媒体に記録するための処理を行い、
前記記録媒体処理手段（カードリーダライタ３２７）に、前記獲得遊技媒体数（持玉数）が記録された遊技用記録媒体（ビジターカード）を受付け中に、前記遊技媒体計数装置に（計数・払出ユニット４）おいて遊技媒体の払出操作（払出ボタン４０１の操作）が行われた旨を特定可能な払出開始通知（計数払出開始通知）を該遊技媒体計数装置から受信した時点から、該払出操作に応じて前記遊技媒体計数装置において払出される遊技媒体数（単位払出玉数）を減じた新たな獲得遊技媒体数（持玉数）を該受付け中の遊技用記録媒体に更新記録する減算処理が完了した旨を特定可能な減算終了通知（計数引落完了通知）を該遊技媒体計数装置に返信する時点まで、前記排出操作検知手段（Ｓｂ５）による排出操作の検知に応じた遊技用記録媒体の排出を禁止することを特徴としている。
この特徴によれば、減算処理が完了する以前に遊技用記録媒体が排出されてしまうことによる遊技者或いは遊技場の不利益の発生を回避することができる。
【００１１】
本発明の請求項６に記載の遊技用装置は、請求項５に記載の遊技用装置であって、
前記遊技用記録媒体は、前記獲得遊技媒体数が記録されず、該獲得遊技媒体数が対応付けて管理される情報であって遊技場に会員登録した各会員遊技者を個々に識別可能な会員識別情報が記録された会員用記録媒体と、該会員識別情報が記録されず、前記獲得遊技媒体数が記録される一般用記録媒体とを含み、
前記記録媒体処理手段（カードリーダライタ３２７）に前記会員用記録媒体（会員カード）を受付け中において、前記遊技媒体計数装置（計数・払出ユニット４）から払出開始通知（計数払出開始通知）を受信したときには、前記減算処理を実施することなく前記減算終了通知（計数払出終了応答）を返信することを特徴としている。
この特徴によれば、遊技媒体計数装置との送受信内容が、会員用記録媒体と一般用記録媒体との受付け時において同じとされることで、これら記録媒体の種別毎に、異なる通信用プログラムを開発したり異なる通信用プログラムを用いる必要がないので、開発コストの削減やプログラム容量の削減ができる。
【００１２】
本発明の請求項７に記載の遊技用装置は、請求項１〜６のいずれかに記載の遊技用装置であって、
前記遊技者が遊技を中断するための離席操作を受付けるための離席操作受付け手段（ＩＲ受光ユニット３１５）を備え、
前記離席操作の受付けに応じて、前記遊技媒体計数装置（計数・払出ユニット４）に対し、離席モードを開始する旨を特定可能な離席モード開始通知（離席モード通知（開始））を送信し、前記記録媒体処理手段（カードリーダライタ３２７）に受付け中の遊技用記録媒体（会員カード、ビジターカード）から読み出した、該遊技用記録媒体を特定可能な記録媒体識別情報（会員カードＩＤまたはカードＩＤ）を記憶して該遊技用記録媒体を排出するとともに、遊技用記録媒体の受付け以外の操作を禁止して離席モードを開始し、離席モード中に受付けた遊技用記録媒体から読み出した記録媒体識別情報が、該離席モードの開始時に記憶した前記記録媒体識別情報と一致することを条件に、離席モードを終了する旨を特定可能な離席モード終了通知（離席モード通知（終了））を前記遊技媒体計数装置に送信するとともに、前記操作の禁止を解除して離席モードを終了することを特徴としている。
この特徴によれば、離席モード開始通知を遊技媒体計数装置に対して送信することで、遊技用記録媒体の受付け以外の操作が禁止される離席モードと連携して、該遊技媒体計数装置における計数や払出を禁止させることができるとともに、遊技者は、離席において遊技用記録媒体のみを所持するのみで良く、遊技者の利便性を向上できる。
【発明を実施するための最良の形態】
【００１３】
本発明の実施例を以下に説明する。
【実施例】
【００１４】
本発明の遊技用装置が適用された遊技用システムの実施例を図面に基づいて説明すると、先ず図1は、本発明の遊技用装置としてのカードユニット３並びに遊技媒体計数装置としての計数・払出ユニット４とを含む本実施例の遊技用システムの構成を示すシステム構成図であり、遊技場内に複数配置される各遊技島（図示略）に並設される遊技機であるカードリーダ式パチンコ機（以下パチンコ機と略称する）２と、パチンコ機２の所定側の側方位置に該パチンコ機２に対して１対１に対応設置され、本発明の遊技用記録媒体となるプリペイド機能を備えるビジターカード（一般用記録媒体）並びに会員カード（会員用記録媒体）を受付けて、遊技媒体であるパチンコ玉を貸し出すための処理を行うカードユニット３と、各カードユニット３に隣接して設けられ、カードユニット３が対応するパチンコ機２における遊技にて獲得されたパチンコ玉を計数するとともに、該計数済みのパチンコ玉数の範囲内のパチンコ玉を払い出すための計数・払出ユニット４と、カードユニット３にて使用されるビジターカードや会員カード並びにカードユニット３の管理等を行うシステムコントローラ１００と、会員カードを所持する会員遊技者が再度の遊技に使用可能に所有する貯蓄玉数やビジターカードに記録された持玉数の管理を行う管理コンピュータ１５０と、遊技場内の景品カウンタに設けられて景品交換を行うための景品交換用ＰＯＳ端末１７０と、から主に構成されている。
【００１５】
そして、これらシステムコントローラ１００とカードユニット３とは、ハブ（ＨＵＢ）７並びに通信ケーブル８を介して双方向のデータ通信が可能に接続されていて、各接続機器にはそれぞれローカルＩＰアドレスが付与されてローカルエリアネットワーク（ＬＡＮ）が形成されており、該ローカルエリアネットワーク（ＬＡＮ）に接続されている各装置には、当該装置を個々に識別可能な装置ＩＤが付与されているとともに、各装置が装置（ユニット）ＩＤとローカルＩＰアドレスとが対応付けられたＩＰアドレステーブルや後述するユニット管理テーブル（図１１参照）等を有することで、該装置（ユニット）ＩＤから特定される各ローカルＩＰアドレスを送信データに付与して送受信することにより、互いにデータの送受を実施できるようになっている。
【００１６】
また、本実施例のシステムコントローラ１００は、図１０（ａ），（ｂ）に示すように、当該遊技場において使用される会員カード若しくはビジターカードに記憶されている、各カードを個々に識別可能な（会員）カードＩＤに対応付けて、当該会員カード若しくはビジターカードに残存するプリペイド残額を記憶する会員カードテーブルとビジターカードテーブルとを有しており、これら各カードテーブルにおいて各会員カード並びに各ビジターカードに残存するプリペイド残額（遊技用価値）が管理されている。
【００１７】
この本実施例のシステムコントローラ１００は、通信回線１１を介して会員カードやビジターカードを管理する遊技場外のカード管理会社に設置された管理サーバ１２と双方向のデータ通信を実施できるように接続されていて、カード管理会社は、該管理サーバ１２にて各遊技場の会員カード並びにビジターカードによる売り上げや、システムコントローラ１００のエラー状況等を把握できるようになっている。
【００１８】
また、管理コンピュータ１５０と計数・払出ユニット４並びに景品交換用ＰＯＳ端末１７０も、図示しないハブ等により、双方向のデータ通信が可能に接続されていて、システムコントローラ１００とカードユニット３のローカルエリアネットワーク（ＬＡＮ）とは個別のローカルエリアネットワーク（ＬＡＮ）が形成されており、該ローカルエリアネットワーク（ＬＡＮ）に接続されている各装置には、当該装置を個々に識別可能な装置ＩＤが付与されているとともに、各装置が装置（ユニット）ＩＤとローカルＩＰアドレスとが対応付けられたＩＰアドレステーブルを有することで、該装置（ユニット）ＩＤから特定される各ローカルＩＰアドレスを送信データに付与して送受信することにより、互いにデータの送受を実施できるようになっている。
【００１９】
また、カードユニット３とパチンコ機２とは、図３に示すように、パチンコ玉の貸出に伴う各種のデータ（貸出関連データ）を送受可能に接続されているとともに、該パチンコ機２から出力される後述する大当り信号、確変中信号、時短中信号、賞球信号、始動信号が入力可能に接続されている。
【００２０】
さらに、カードユニット３は、計数・払出ユニット４とも、例えばシリアル通信インターフェイス等から成る通信部３３５を通じて双方向のデータ通信が可能に接続されており、種々の情報やデータを送受できるようになっている。つまり、該通信部３３５によって、計数・払出ユニット４（遊技媒体計数装置）との通信を行う計数装置通信手段が形成されており、対応するパチンコ機２における遊技にて獲得された獲得玉数（遊技媒体数）を計数するとともに、該計数された獲得玉数（遊技媒体数）の範囲内の玉数を対応するパチンコ機２に払出す計数・払出ユニット４（遊技媒体計数装置）と通信可能とされている。
【００２１】
はじめに、本実施例に用いた遊技機であるパチンコ機２について、以下に簡単に説明すると、該パチンコ機２は、図２に示すように、額縁状に形成されたガラス扉枠２２を有し、該ガラス扉枠２２の下部表面には打球供給皿２３がある。打球供給皿２３の上面所定箇所には、操作部１４が設けられているとともに、打球供給皿（上皿）２３の下部には、打球供給皿２３から溢れたパチンコ玉を貯留する下皿２４と打球を発射する打球操作ハンドル（以下操作ノブ）２５とが設けられている。
【００２２】
ガラス扉枠２２の後方には、遊技盤２６が着脱可能に取付けられている。また、遊技盤２６の前面には遊技領域２７が設けられている。この遊技領域２７の向かって右側の下方領域に「特別図柄」と呼ばれる複数種類の識別情報が可変表示される特図可変表示部２８と、その中央付近には、「演出図柄」と呼ばれる複数種類の識別情報が可変表示されるとともに演出映像が表示される演出表示部２９と、「普通図柄」と呼ばれる複数種類の識別情報が可変表示される可変表示装置３０とが設けられている。また遊技盤２６には、複数の入賞口４４や通過ゲート３１、始動入賞口３４、可変入賞球装置３６が設けられているとともに、遊技領域２７の下部には、入賞しなかった打込玉を回収するアウト口４６が形成されている。
【００２３】
これら各入賞口に打玉が入賞した場合には、各入賞口に応じた賞球が図示しない玉切り払い出し装置により払い出されるとともに、該玉切り払い出し装置により払い出された賞球数に応じた賞球信号（１０玉に１パルス）が外部に出力されることで、賞球数が外部に通知される。
【００２４】
打球操作ノブ２５の操作によって揺動されるハンマー（図示略）によって発射された打玉は、打球レールを通って遊技領域２７に入り、その後、遊技領域２７を流下していく。この際、発射勢いが弱すぎて前記遊技領域２７に達しなかったパチンコ玉は、環流経路（図示略）を通じて下皿２４に環流されるようになっている。
【００２５】
また、遊技領域２７に打ち込まれた打込玉が通過ゲート３１を通過すると、可変表示装置３０に停止表示されている普通図柄が可変開始する。
【００２６】
可変表示装置３０の可変表示動作後の表示結果が予め定められた特定の表示結果（たとえば○）となった場合に、始動入賞口３４に設けられた可動片３５が所定時間開成して遊技者にとって有利な状態となる。
【００２７】
また、始動入賞口３４にパチンコ玉が入賞すると、特図可変表示部２８において全特別図柄が可変表示（変動表示）を開始するとともに、演出表示部２９において演出表示が開始される。そして、その後、特図可変表示部２８における特別図柄が停止し、その停止表示結果が予め定められた特定の表示態様となった場合には、演出表示部２９における左、中、右の演出図柄の可変表示も停止し、その演出図柄の表示態様も予め定められた特定の表示態様（たとえば７７７）とされることで、特定遊技状態（大当り状態）が発生するとともに、大当り中信号が出力状態とされることで、該大当りの発生が外部に通知される。
【００２８】
また、特図可変表示部２８における特別図柄が停止したときに、所定パルス幅の始動信号が出力され、特図可変表示部２８における特別図柄の可変表示（変動表示）が実施されたことが外部に通知される。
【００２９】
このように大当り状態が発生した場合には、可変入賞球装置３６に設けられた開閉板４０が開成して遊技者にとって有利な第１の状態となる。この第１の状態は、所定期間（たとえば３０秒間）の経過または打玉の所定個数（たとえば１０個）の入賞のうちいずれか早い方の条件が成立することにより終了し、その後、遊技者にとって不利な第２の状態となる。
【００３０】
そして該第１の状態となっている可変入賞球装置３６の大入賞口内に進入した打玉が特定入賞領域（Ｖポケット）に入賞して図示しないＶカウントスイッチにより検出されれば、その回の第１の状態の終了を待って前記第２の状態から前記第１の状態に制御する繰返し継続制御が行なわれる。この繰返し継続制御の上限回数は例えば１５回と定められている。
【００３１】
特図可変表示部２８の表示結果並びに演出可変表示部２９の演出図柄の表示結果が予め定められた大当り図柄の組合せで停止表示されたときには前述したように大当りが発生するが、これら大当り図柄に停止表示される以前の状態において、リーチ状態が発生する場合がある。
【００３２】
特図可変表示部２８並びに演出可変表示部２９で可変表示された特別図柄並びに演出図柄が所定の確率変動図柄の種類に一致した図柄の組合せで停止表示されたときには、前記繰返し継続制御による「大当り」の終了後に、再度大当りとなる確率が通常の確率状態よりも高い確率状態となる確率変動状態となるようになっており、これら確率変動図柄での大当りを通常の大当りと区別して「確変大当り」と呼称し、これら確変大当り終了後における確率変動状態中において、確変中信号が出力状態とされることで、該確率変動状態の発生が外部に通知される。
【００３３】
また、特図可変表示部２８並びに演出可変表示部２９で可変表示された特別図柄並びに演出図柄が所定の確率変動図柄以外の図柄の組合せで停止表示されたときには、前記繰返し継続制御による「大当り」の終了後に、特図可変表示部２８並びに演出可変表示部２９で可変表示が所定回数に達するか或いは次の大当りが発生するまでの間、特図可変表示部２８における特別図柄および演出可変表示部２９における演出図柄の可変表示時間（変動時間）が通常遊技状態よりも短縮される時短状態となるようになっており、これら時短状態中において、時短中信号が出力状態とされることで、該時短状態の発生が外部に通知される。
【００３４】
本実施例のパチンコ機２には、これら各信号を外部出力するための図示しない情報出力基板が搭載されており、該情報出力基板とカードユニット３とが、図示しない信号ケーブルを介して接続されており、情報出力基板からは、大当り中信号、確変中信号、時短中信号、始動信号、賞球信号からなる外部出力信号が、信号ケーブルを介してカードユニット３に出力される。
【００３５】
ここで、大当り中信号は大当り状態の期間中において出力状態とされる信号であり、確変中信号は確変状態の期間中においてのみ出力状態とされる信号であり、時短中信号は時短状態の期間中においてのみ出力状態とされる信号であり、始動信号は、特図可変表示部２８の表示結果が全て導出表示されて可変表示が終了した際に出力される所定幅のパルス信号であり、賞球信号は、所定玉数（本実施例では１０玉）が払い出される毎に出力される所定幅のパルス信号である。
【００３６】
次に、本実施例のカードユニット３について、図２〜図７に基づいて以下に説明すると、本実施例のカードユニット３の前面には、図２に示すように、フルカラーＬＥＤにより構成されて複数の色に点灯することでカードユニット３の状態等を報知可能とされた多機能ランプ３０１等の各種表示部と、紙幣を挿入するための紙幣挿入口３０２、装置前面より装置前方側に突出形成された突出部３０５、会員カードやビジターカードを挿入するためのカード挿入口３０９が設けられている。
【００３７】
カードユニット３の前面に設けられたカード挿入口３０９は、カードユニット３の下方位置に内蔵されるカードリーダライタ３２７（図４参照）のカードスロット３９２に連設されており、このカード挿入口３０９を介してビジターカードや会員カードをカードスロット３９２に挿入可能とされている。
【００３８】
この本実施例に使用されるビジターカード並びに会員カードには、種々のデータを記憶するための不揮発性メモリと、これら記録情報の書き換えや読み出しを実施するとともに、外部のリーダライタ装置との非接触通信を実施する制御部とを有するＩＣチップが搭載されたＩＣカードを使用しており、これらビジターカード並びに会員カードには、個々のカードを識別可能なカードＩＤ、具体的には、ビジターカードにはＶＣで始まるカードＩＤが、会員カードには、ＫＣ始まる会員カードＩＤが予め記憶されていて、その種別がカードＩＤから識別可能とされているとともに、プリペイド残額を特定可能なプリペイド残額データ等の各種データが記憶されている。尚、本実施例のビジターカードは、遊技場内に設置された図示しない発行機にて、購入、発行されるとともに、カードユニット３においても発行される。
【００３９】
つまり、本実施例の遊技用記録媒体としては、本発明の獲得遊技媒体数となる持玉数が記録されず、該持玉数が対応付けて管理される情報であって遊技場に会員登録した各会員遊技者を個々に識別可能な会員識別情報となる会員ＩＤが記録された会員カード（会員用記録媒体）と、該会員ＩＤ（会員識別情報）が記録されず、持玉数（獲得遊技媒体数）が記録されるビジターカード（一般用記録媒体）とが含まれている。
【００４０】
カードユニット３の前面には、前方に突出する態様にて突出部３０５が設けられている。該突出部３０５において、遊技者と対向する面には、図２並びに図５に示すように、各種情報を表示可能な表示部３１２と、メインメニュー画面を表示させるためのメニューボタン３１６と、台データを表示させるための台データボタン３１８と、会員カードを受付けた場合において、該会員カードに記録された会員カードＩＤ並びに会員ＩＤにより特定される貯玉数を用いた再プレイ遊技を実施するための再プレイボタン３１９と、再プレイボタン３１９の操作が有効であることを報知するための再プレイ表示部３２０と、遊技場の係員が所持するリモコン（図示略）からの赤外線信号を受信して電気信号に変換して出力するＩＲ受光ユニット３１５とが設けられており、該表示部３１２の表面には、表示部３１２に表示された各表示項目を指触により入力可能とするための透明タッチパネル３１４が設けられている。
【００４１】
また、該突出部３０５内部には、表示部３１２を成す後述する液晶表示器３１３や各ボタンに対応するスイッチや、液晶表示器３１３の表示制御や、透明タッチパネル３１４による入力位置検出等を実施する表示制御マイコン等が実装された表示制御基板３２９が格納されている。
【００４２】
カードユニット３内の上部位置には、紙幣挿入口３０２に連設され、該紙幣挿入口３０２に投入された紙幣を取り込んでその真贋や紙幣種別の識別を実施し、その識別結果を装置略中央部に設けられている後述する制御ユニット３２８に出力する紙幣識別ユニット３２１が設けられており、該紙幣識別ユニット３２１にて各種紙幣（１万円、５千円、２千円、千円の各紙幣）の受付が可能とされている。
【００４３】
図３は、本実施例のカードユニット３の構成を示すブロック図である。カードユニット３は、紙幣識別ユニット３２１と、前述のカードリーダライタ３２７と、表示制御基板３２９と、カードユニット３の各部の制御を制御プログラムにより実施して該カードユニット３の各種の機能を提供する制御ユニット３２８と、から主に構成されており、紙幣識別ユニット３２１、カードリーダライタ３２７及び表示制御基板３２９は制御ユニット３２８と接続されて各種データの送受が可能とされている。
【００４４】
カードリーダライタ３２７は、カード挿入口３０９から挿入される会員カード並びにビジターカードに記録されている（会員）カードＩＤや、会員ＩＤ（会員カードのみ）、プリペイド残額データ等の記録情報の読み出し並びに書き込みを行う。
【００４５】
つまり、本実施例のカードリーダライタ３２７は、パチンコ機２における遊技に使用可能なプリペイド残額（遊技用価値）の大きさを特定可能なプリペイド残額データ、（会員）カードＩＤ（遊技用価値特定情報）が記録された会員カード、ビジターカード（遊技用記録媒体）を受付けて、該受付けた会員カード、ビジターカードに記録されているプリペイド残額データ、（会員）カードＩＤ（遊技用価値特定情報）を少なくとも読み出しており、該カードリーダライタ３２７によって本発明の記録媒体処理手段が形成されている。
【００４６】
本実施例に用いたカードユニット３２７の構成を図４を用いて、より詳細に説明すると、該カードリーダライタ３２７の内部には、前記カード挿入口３０９からの会員カードやビジターカードの挿入並びに会員カードやビジターカードが挿入中であることを検知する挿入センサ３９７や、後述する発行・入金処理の実施中或いは会員カードやビジターカードの挿入中においてカード挿入口３０９からの新たな会員カードやビジターカードの挿入を阻止するためのシャッタの出没を行うシャッタ用ソレノイド３９９や、前記カード挿入口３０９から延設され、会員カードやビジターカードがスライド可能とされたガイドレール３９８と、該ガイドレール３９８を挟むように配設されてカードスロット３９２に挿入された会員カードやビジターカードを、カードスロット３９２の内方側に取り込むとともに、会員カードやビジターカードをカード挿入口３０９から排出する取込・排出ローラ３８７’並びに該取込・排出ローラ３８７’を駆動する駆動モータ３８６’と、取込・排出ローラ３８７’によりカードスロット３９２の内方側に取り込まれた会員カードやビジターカードのガイドレール３９８上の移動を、駆動モータ３８６、３９３にて駆動回転されることにより実施する搬送ローラ３８７、３８８と、前記搬送ローラ３８７、３８８の一方側に張架された搬送ベルト３９１と、から成る搬送機構や、該搬送される会員カードやビジターカードを所定位置に停止させるストップピンの出没を行うソレノイド３８９や、所定位置に停止された会員カードやビジターカードへの給電やデータ通信を行う通信ヘッド３９０や、該通信ヘッド３９０に接続されて会員カードやビジターカードとのデータ送受の制御を行う通信基板３２７ａと、が設けられており、挿入されている会員カードやビジターカードからのデータの読み取り及び会員カードやビジターカードへの書き込みが非接触状態にて可能とされている。
【００４７】
本実施例のカードリーダライタ３２７に設けられた搬送機構を構成する搬送ローラ３８７は、カード挿入口３０９から、１枚の会員カードやビジターカードの長さ寸法とほぼ等しい距離だけ、離間されて設けられており、カード挿入口３０９と搬送ローラ３８７との間に、１枚の会員カードを滞留（保持）させたまま、通信ヘッド３９０に対応する所定位置に他のビジターカードを停止させてデータの読み取り及び書き込みを実施できるようになっており、後述するように、計数・払出ユニット４と管理コンピュータ１５０との通信状態がオフライン状態であるときにおいて、滞留（保持）した受付け中の会員カードと、持玉数の書き込みが完了したビジターカードとを、ほぼ同時に連続してカード挿入口３０９から排出できるようになっている。
【００４８】
本実施例のカードリーダライタ３２７に設けられている搬送ベルト３９１のカードユニット３の内方側終端部位置には、ビジターカードを最大１０枚まで貯留できるカード貯留部３７０が設けられており、新規のビジターカードを発行可能とされている。
【００４９】
この本実施例のカード貯留部３７０の内部には、図４に示すように、駆動モータ３７３にて駆動回転される１対の搬送ローラ３７１と、該搬送ローラ３７１に張架された搬送ベルト３７２と、から成るビジターカードの移動（収納、排出）を実施する搬送機構が設けられるとともに、カード貯留部３７０内に貯留されているビジターカードを、支持板３７７を介して搬送ベルト３７２側に押圧する押圧ばね３７６が設けられている。
【００５０】
そして、搬送機構における搬送ベルト３７２の略中央部には、ソレノイド３７４によって揺動する揺動ローラ３７５が設けられている。ビジターカードをカード貯留部３７０の内部に取り込むときに、揺動ローラ３７５がソレノイド３７４によって揺動して搬送ベルト３７２と当接することで、搬送ベルト３７２の中央部が突出し、既に貯留されているビジターカード若しくは支持板３７７を押圧することにより、搬送ベルト３７２とビジターカード若しくは支持板３７７との間に、新たにビジターカードを受け入れるための間隙が形成される。そのため挿入されたビジターカードをスムーズにカード貯留部３７０内に貯留することができるようになっており、これらビジターカードの取り込み後に前記揺動ローラ３７５が搬送ベルト３７２と当接しない位置まで戻ることにより、搬送ベルト３７２の中央部の突出が解消されて、搬送ベルト３７２がビジターカードの全面に当接する状態にてビジターカードが貯留され、該ビジターカードを排出するときには、搬送ベルト３７２に当接しているビジターカードが、搬送ベルト３７２を取り込みとは逆方向に移動させることで、搬送ベルト３９１へビジターカードが排出される。
【００５１】
また、カード貯留部３７０内には、該カード貯留部３７０内に貯留されるビジターカードの枚数が１枚以下になったことを検出する光学センサによるカード補給検知センサ３７８が設けられているとともに、カード貯留部３７０内に貯留されるビジターカードの枚数が１０枚（満タン）になったことを検出する光学センサによるカード満タン検知センサ３７９が設けられている。カード補給検知センサ３７８がビジターカードの枚数が１枚以下になったことを、ビジターカードからの光反射がないことによって検出すると、該検出信号が制御ユニット３２８に出力されることで、制御ユニット３２８によりカード補給を要求する所定の点灯態様にて多機能ランプ３０１が点灯されることにより、ビジターカードが足りなくなったことが店員に報知されるとともに、カード満タン検知センサ３７９がビジターカードの枚数が１０枚（満タン）になったことを、ビジターカードからの光反射が有ることによって検出すると、該検出信号が制御ユニット３２８に出力されることで、制御ユニット３２８が、ビジターカードがカード貯留部３７０内に満タンになったことを認識できるようになっており、この場合には、ビジターカードの回収を実施することなく該ビジターカードはカード挿入口３０９から排出される。
【００５２】
このカード貯留部３７０にビジターカードを補充する場合には、係員がリモコンを操作することによりカード補充モードに移行させた状態において、残額が０のビジターカードをカード挿入口３０９に順次挿入することで、これら挿入されたビジターカードが、カード貯留部３７０に順次貯留されるようになる。
【００５３】
次に、本実施例の制御ユニット３２８について説明すると、制御ユニット３２８は、前述したようにパチンコ玉の貸出に伴う各種の信号の授受を、パチンコ機２に設けられている図示しない賞球制御基板との間において実施可能に接続されているとともに、前述のように、信号ケーブルを介して、パチンコ機２の情報出力基板と接続されることで、大当り中信号等の各種の外部出力信号が入力可能とされている。
【００５４】
さらに、制御ユニット３２８は、前述したように計数・払出ユニット４と接続されており、該計数・払出ユニット４と双方向のデータ通信が可能とされているとともに、対応するパチンコ機２の下方位置に設けられているアウト玉計数器１６に接続されて該アウト玉計数器１６による各計数信号が入力可能とされており、これらアウト玉計数器１６からの計数信号の入力に応じて、後述する遊技情報テーブル（図６（ｂ）参照）の総打込玉数の値に該計数信号に応じた所定数を加算更新するとともに、計数・払出ユニット４から送信される追加玉数を含む計数終了通知の受信に応じて、表示部３１２の下部位置に表示している計数済玉数（図５参照）の値に、該計数終了通知に含まれる追加玉数を逐次加算更新することで、計数・払出ユニット４にて計数された玉数の総数（その時点以前に既にその当日に計数された玉数が存在する場合には、その合計となる持玉数）が計数済玉数として表示される。
【００５５】
本実施例の制御ユニット３２８は、制御プログラムを実行可能な中央演算処理回路（ＣＰＵ）３２８ａや、カードリーダライタ３２７に受付け中のビジターカードや会員カードの（会員）カードＩＤ並びにプリペイド残額や、持玉数、貯蓄数、来店ポイント数、対応するパチンコ機２の台データ、遊技中の会員の遊技情報等の各種のデータを記憶可能なＲＡＭ３２８ｂや、中央演算処理回路（ＣＰＵ）３２８ａが実行する制御プログラムや、当該カードユニット３の装置ＩＤを含む設定情報や、離席中の（会員）カードＩＤ等の各種のデータを書き換え記憶可能な不揮発性メモリであるＥＥＰＲＯＭ３２８ｃや、その時点の時刻情報やカレンダ情報等を出力可能なリアルタイムクロック（ＲＴＣ）３２８ｄを含み、ＲＡＭ３２８ｂは図示しない電池によりバックアップされており、電源が遮断されても、所定期間において記憶されているデータが保持される。
【００５６】
ＲＡＭ３２８ｂに記憶されている本実施例のカードテーブルには、図６（ａ）に示すように、カードリーダライタ３２７に挿入されたビジターカードや会員カードから読み出した（会員）カードＩＤや会員ＩＤ（会員カードのみ）、（会員）カードＩＤ並びにプリペイド残額データに基づくプリペイド残額、カードＩＤ若しくは（会員）カードＩＤと会員ＩＤから特定される持玉数、（会員）カードＩＤと会員ＩＤから特定される貯玉数（会員のみ）、会員ＩＤから特定される来店ポイント数（会員のみ）が記憶されるようになっている。
【００５７】
また、ＲＡＭ３２８ｂに記憶されている本実施例の遊技情報テーブルには、図６（ｂ）に示すように、本日を含む３日間の遊技情報、つまり、本日データ、前日データ、前々日データが記憶されている。尚、前日データ、前々日データは、ＥＥＰＲＯＭ３２８ｃにも記憶されているが、これら前日データ、前々日データを表示する際に、ＥＥＰＲＯＭ３２８ｃから読み出すよりも高速に処理できるようにするために、本実施例では、予めＥＥＰＲＯＭ３２８ｃより読み出した前日データ、前々日データをＲＡＭ３２８ｂに記憶されている遊技情報テーブルに記憶しておくようにしている。
【００５８】
この本実施例の遊技情報テーブルには、対応するパチンコ機２から出力される大当り中信号、確変中信号、時短中信号の図示しない入力端子１〜３への入力状態に基づく現在の遊技状態（本日のみ）と、最新の遊技状態データ（左のビットから順に入力端子１〜入力端子３の入力状態、０：ＬＯＷ／未接続、１：ＨＩＧＨ、本日のみ）並びに前回の遊技状態データ（最新の遊技状態データに更新される前の遊技状態データ、本日のみ）、営業開始時点からの総打込玉数、総賞球数、差玉数（総打込玉数−総賞球数）、総始動回数、大当り状態の発生が識別される毎にリセットされて大当りの発生後からの始動回数である当り後始動回数、営業開始時点からの大当りの発生回数である大当り回数、営業開始時点からの確変状態の発生回数である確変回数と、営業開始時点からの時短状態の発生回数である時短回数と、通常遊技状態において発生した大当りから次に通常遊技状態となるまでに発生した大当りの回数である連荘回数からなる遊技情報が格納されており、これら遊技情報は、入力端子に入力される大当り中信号、確変中信号、時短中信号、始動信号、賞球信号、アウト玉計数信号に基づいて最新の情報に更新される。
【００５９】
尚、これら遊技情報テーブルにおいて集計、管理されている本日の台データは、図７に示すように、その先頭に台データを含む送信データ列であることを示す特定のデータヘッダと、当該カードユニット３の装置ＩＤと、対応するパチンコ機２の台番号とが付与された所定フォーマットの送信データ列として、図示しないホールコンピュータからの送信要求の受信に応じて（遊技状態の変更時には、その時点で）送信される。尚、図７のＥＣＣは、エラー訂正用コードである。
【００６０】
また、ＲＡＭ３２８ｂに記憶されている本実施例の会員遊技情報テーブルには、図６（ｃ）に示すように、カードリーダライタ３２７に会員カードが挿入された時点からの遊技情報、つまり、該挿入された会員カードを所持する会員の遊技に関する遊技情報が格納されている。
【００６１】
具体的には、会員が遊技を開始した開始時間（会員カードの受付け時刻）、会員が遊技を終了した終了時間（会員カードの返却時刻）、会員の遊技時間、会員が遊技を開始してからの始動回数、会員が遊技を開始してから発生した大当り回数、会員が遊技を開始してから発生した大当り回数、会員が遊技を開始してから発生した確変回数、会員が遊技を開始してから獲得した獲得玉数（遊技開始時の計数済玉数からの差数）、会員が遊技に使用した支出金額と、会員が遊技を開始してから再プレイに使用した再プレイ玉数と、会員が遊技を開始してから使用した持玉数とが更新記憶されており、対応するパチンコ機２で遊技中の会員遊技者が遊技を開始してからの遊技情報（台データ）を把握できるようになっている。
【００６２】
また、制御ユニット３２８には、前述したように、対応するパチンコ機２の操作部１４に設けられた残額表示器や、貸出ボタンの操作を検知する貸出ボタンスイッチや、受付け中の会員カードやビジターカードを返却させる際に操作される返却ボタンの操作を検知する返却ボタンスイッチが接続されており、貸出ボタンの操作や返却ボタンの操作を検知できるとともに、これら残額表示器の表示制御を実施する。
【００６３】
制御ユニット３２８は、リモコンからの送信に応じたＩＲ受光ユニット３１５からの出力や突出部３０５に設けられている各種ボタンの操作やタッチパネルの操作に応じて表示制御基板３２９から入力される各種情報や、紙幣識別ユニット３２１による貨幣識別情報、並びにカードリーダライタ３２７からのカード挿入情報やビジターカードの貯留状態情報等を受けて、制御ユニット３２８に接続されている前記多機能ランプ内に設けられたフルカラーＬＥＤ３０１ａ等の各ＬＥＤの点灯制御、カードリーダライタ３２７、表示制御基板３２９の制御、残額表示器の表示制御等、全体の動作制御、並びに図１５に示すように、カード挿入口３０９に挿入された会員カードやビジターカードの利用の可／不可を判別するカード受付け処理や、受付け中の会員カード或いはビジターカードから読み出したプリペイド残額データに基づくプリペイド残額を使用した玉貸を行う貸出処理や、返却ボタンの操作により受付け中の会員カードやビジターカードの返却する返却処理や、貨幣の受付けに応じて、受付け中の会員カードやビジターカードに残存するプリペイド残額への入金、或いは新たなビジターカードにプリペイド残額を書き込んで発行する発行・入金処理や、貯玉数を用いた再プレイ処理、計数・払出ユニット４において計数済玉数（挿入されたビジターカード並びに会員カードにより特定されるものを含む）の払出に応じた計数済玉数を更新や応答を返信する払出対応処理、リモコンにおける離席操作に基づく信号の受信により離席モードに移行するための離席処理、計数・払出ユニット４においてパチンコ玉の計数の開始に応じて計数済玉数を更新や応答を返信する計数対応処理等の各種処理を実行する。
【００６４】
また、制御ユニット３２８は、対応するパチンコ機２の図示しない賞球制御基板と接続されており、該賞球制御基板との間において貸出処理に伴う各種信号の送受が実施可能とされているとともに、通信部３３４並びにＨＵＢ７を介して、前述のシステムコントローラ１００とデータ通信可能に接続されており、これらの各コンピュータと各種データの送受が該通信部３３４を通じて可能とされている。
【００６５】
また、制御ユニット３２８に接続された表示制御基板３２９は、表示部３１２を成す液晶表示器３１３や、透明タッチパネル３１４や、各種スイッチ類（メニューボタン３１６に対応するメニュースイッチ３１６ａ、台データボタン３１８に対応する台データスイッチ３１８ａ、再プレイボタン３１９に対応する再プレイスイッチ３１９ａ）や、ＩＲ受光ユニット３１５、前述した再プレイ表示部３２０内に設けられたＬＥＤ３２０ａ等の電子部品が接続されており、これら透明タッチパネル３１４の操作情報や、各種スイッチ類の操作情報、ＩＲ受光ユニット３１５から出力された出力信号に基づく情報が、表示制御基板３２９を介して制御ユニット３２８に出力される。
【００６６】
本実施例の表示制御基板３２９には、液晶表示器３１３の表示駆動を行う表示駆動回路（図示略）や、前記透明タッチパネル３１４からの出力信号に基づいて押圧操作された位置を特定して該特定した入力位置情報を出力する入力位置検出回路（図示略）や、表示部３１２に表示する表示映像に関する処理を行うＶＤＰ（図示略）や、メニュー表示等に使用する画像データ等を記憶するＶＲＯＭ（図示略）や、表示部３１２に表示する表示データを一時記憶するＶＲＡＭ（図示略）や、制御ユニット３２８から独立して、各種スイッチ類やタッチパネル等の入力に伴う判断や処理を処理プログラムに基づいて実施する表示制御マイコン等が実装されており、制御ユニット３２８から出力される表示データ（ページデータ）等に基づいて、各種の表示画面を表示部３１２を成す液晶表示器３１３に表示可能とされている。
【００６７】
次に、本実施例のシステムコントローラ１００について、図９に基づき説明する。まず、本実施例に用いたシステムコントローラ１００は、図９に示すように、コンピュータ内部にてデータの送受を行うデータバス１０１に、該システムコントローラ１００が実施する各種処理を行うＣＰＵ１０２、ワークメモリ等として使用されるＲＡＭ１０３、時刻情報やカレンダ情報を出力するＲＴＣ１０４、ハードディスク等からなる記憶装置１０５、キーボードやマウス等の入力装置１０６、各種の画面を表示出力する表示装置１０７、各種情報をプリント出力するプリンタ１０８、ローカルエリアネットワーク（ＬＡＮ）に接続されたカードユニット３（制御ユニット３２８）やカード発行機等の各装置とのデータ通信を行う通信部１０９、カード会社に設置された管理サーバ１２とのデータ通信を行うデジタルサービスユニット（ＤＳＵ）１１０が接続された通常のコンピュータである。
【００６８】
記憶装置１０５には、システムコントローラ１００において実施される各種処理を行うための処理内容が記述された処理プログラムに加えて、会員カードに残存するプリペイド残額を管理するための会員カードテーブル（図１０（ａ）参照）と、ビジターカードに残存するプリペイド残額を管理するためのビジターカードテーブル（図１０（ｂ）参照）と、各カードユニット３の装置ＩＤに対応付けて、該カードユニット３のカードの受付け状況や、対応するパチンコ機２の機種や台データが格納されるユニット管理テーブル（図１１参照）とが記憶されている。
【００６９】
会員カードテーブルには、図１０（ａ）に示すように、各会員カードを個々に識別可能な会員カードＩＤに対応付けて、当該会員カードの発行を受けた会員遊技者の会員ＩＤと、プリペイド残額と、当該会員カードが使用不可であるか否かを示す使用不可フラグとが記憶されており、会員カードに記憶されている会員カードＩＤ若しくは会員ＩＤから、プリペイド残額や当該会員カードの使用可否を特定できるようになっている。
【００７０】
また、ビジターカードテーブルには、図１０（ｂ）に示すように、各ビジターカードを個々に識別可能なカードＩＤに対応付けて、当該ビジターカードの状況（利用中であるか保管中であるか）と、プリペイド残額と、当該カードが使用不可であるか否かを示す使用不可フラグとが記憶されており、ビジターカードに記憶されているカードＩＤから、プリペイド残額や当該ビジターカードの使用可否を特定できるようになっている。
【００７１】
また、本実施例のユニット管理テーブルには、図１１に示すように、遊技場内に設置された各カードユニット３に固有に付与された装置ＩＤに対応付けて、カードユニット３のローカルＩＰアドレスが格納されるローカルＩＰと、当該カードユニット３が設置されている遊技島の島番号が格納される設置島と、当該カードユニット３が待機中または受付中であるかが格納される状況と、当該カードユニット３が対応するパチンコ機２の機種名が格納される対応機種名と、該対応するパチンコ機２の台番号が格納される対応台番号と、受付け中の会員カードまたはビジターカードのカードＩＤが格納される受付ＩＤと、対応するパチンコ機２における営業開始時点からの各種台データとが記憶されており、これら台データとしては、総始動回数、大当り回数、確変回数、総打込玉数、総賞球数、差玉数、並びに各大当りが発生する間における特図可変表示部２８における始動回数である大当間始動回数１、大当間始動回数２…が記憶されており、これら台データは、図示しないホールコンピュータより、逐次取得されて更新される。
【００７２】
本実施例のシステムコントローラ１００（ＣＰＵ１０２）は、カードユニット３における会員カードまたはビジターカードの受付けに応じて各カードユニット３から送信される、該カードユニット３の装置ＩＤ並びに該受付けた会員カードまたはビジターカードから読み出した（会員）カードＩＤ並びにプリペイド残額を含むカード受付け通知の受信に応じて、該会員カードまたはビジターカードの使用の可否を判定してカードユニット３に返信するカード受付け処理を実施する。
【００７３】
また、本実施例のシステムコントローラ１００（ＣＰＵ１０２）は、カードユニット３における貸出処理の実施に伴い送信される後述の貸出完了通知の受信に応じて、該受信した貸出完了通知に含まれる（会員）カードＩＤに対応して会員カードテーブル若しくはビジターカードテーブルに記憶されているプリペイド残額から、該貸出完了通知に含まれる税込使用額を減算更新する減算更新処理を行う。
【００７４】
また、本実施例のシステムコントローラ１００（ＣＰＵ１０２）は、カードユニット３における発行・入金処理の実施に伴い送信される後述のカード入金通知の受信に応じて、該受信したカード入金通知に含まれる（会員）カードＩＤに対応して会員カードテーブル若しくはビジターカードテーブルに記憶されているプリペイド残額に、該カード入金通知に含まれる入金金額を加算更新する入金更新処理を行う。
【００７５】
次いで、本実施例の計数・払出ユニット４について、図２並びに図８を用いて説明する。
【００７６】
本実施例の計数・払出ユニット４は、図２に示すように、カードユニット３の一方の側方位置であって、カードユニット３が対応するパチンコ機２の反対側の側方位置に設けられている。
【００７７】
計数・払出ユニット４は、カードユニット３とほぼ同様に、狭幅で縦長の箱状とされており、その前面には、図２に示すように、計数済玉数を払い出させる際に遊技者が操作する払出ボタン４０１と、計数・払出ユニット４内部に格納されている玉切り払出しユニット４０２から払い出されたパチンコ玉を、対応するパチンコ機２の打球供給皿（上皿）２３に誘導する誘導管４０３が設けられている。
【００７８】
また、計数・払出ユニット４前面の下方端部位置からは、計数玉流入路４０４が導出されて、対応するパチンコ機２の下皿２４の直下位置に、該下皿２４を下方側から覆うように設けられた、上方に開口する投入ホッパ４０５と連結されており、該投入ホッパ４０５に下皿２４から投入されたパチンコ玉が、該計数玉流入路４０４を通じて計数・払出ユニット４の内部に格納されている獲得玉計数器４０７に流入して計数されるようになっている。
【００７９】
尚、計数玉流入路４０４が導出される計数・払出ユニット４前面の下方端部位置には、計数玉流入路４０４から獲得玉計数器４０７へのパチンコ玉の流入を遮断する流入口シャッタ４０６が設けられており、カードユニット３が後述する離席モードとなった場合には、該流入口シャッタ４０６が閉じられてパチンコ玉の流入が遮断されることで、獲得玉計数器４０７による新たなパチンコ玉の計数が禁止されるようになっている。
【００８０】
図８は、本実施例の計数・払出ユニット４の構成を示すブロック図であり、計数・払出ユニット４は、前述した払出ボタン４０１の操作を検出するための払出ボタンスイッチ４０１’、玉切り払出しユニット４０２、流入口シャッタ４０６、獲得玉計数器４０７とともに、これらに接続されて、計数・払出ユニット４の動作制御を行う制御部４１０と、カードユニット３（制御ユニット３２８）との通信を行うためのシリアルインターフェイス等から成る第１通信部４０８と、管理コンピュータ１５０との通信を前述したローカルエリアネットワークを介して実施する第２通信部４０９とから構成されている。
【００８１】
制御部４１０には、制御マイコン（ＭＰＵ）や、ＲＡＭ、並びに制御マイコン（ＭＰＵ）が実施する制御内容が記述された制御プログラムが記憶されたＲＯＭや電気的にデータを書換え記憶可能な不揮発性メモリであるＥＥＰＲＯＭが含まれており、制御プログラムを制御マイコン（ＭＰＵ）が実施して、接続されている各部を制御することにより、計数・払出ユニット４の各機能が形成されている。
【００８２】
また、ＲＡＭには、対応するカードユニット３において受付け中の会員カード或いはビジターカードの（会員）カードＩＤと会員ＩＤ（会員カードのみ）と持玉数と貯玉数とが対応付けて記憶されている。
【００８３】
尚、玉切り払出しユニット４０２には、遊技島上部の図示しないパチンコ玉供給樋からパチンコ玉が供給されているとともに、獲得玉計数器４０７にて計数されたパチンコ玉は、遊技島下部の図示しないパチンコ玉回収樋に排出されることにより、該遊技島において再使用される。
【００８４】
次に、本実施例の管理コンピュータ１５０について、図１２に基づき説明する。まず、本実施例に用いた管理コンピュータ１５０は、図１２に示すように、コンピュータ内部にてデータの送受を行うデータバス１５１に、該管理コンピュータ１５０が実施する各種処理を行うＣＰＵ１５２、ワークメモリ等として使用されるＲＡＭ１５３、時刻情報やカレンダ情報を出力するＲＴＣ１５４、ハードディスク等からなる記憶装置１５５、キーボードやマウス等の入力装置１５６、各種の画面を表示出力する表示装置１５７、各種情報をプリント出力するプリンタ１５８、ローカルエリアネットワーク（ＬＡＮ）に接続された計数・払出ユニット４や景品交換用ＰＯＳ端末１７０とのデータ通信を行う通信部１５９が接続された通常のコンピュータである。
【００８５】
記憶装置１５５には、管理コンピュータ１５０において実施される各種処理を行うための処理内容が記述された処理プログラムに加えて、会員カードを所持する会員遊技者が所有する貯蓄玉数である営業当日において当該会員遊技者により獲得された持玉数並びに営業前日以前に当該会員遊技者により獲得された貯玉数を管理するための会員貯蓄管理テーブル（図１３（ａ）参照）と、ビジターカードに記録されている該ビジターカードを所持する遊技者により営業当日において獲得された持玉数を管理するためのビジター貯蓄管理テーブル（図１３（ｂ）参照）と、会員カードを所有する会員遊技者に関する会員情報が格納される会員情報テーブル（図１４（ａ）参照）と、会員遊技者を特定可能な会員ＩＤ毎に、当該会員遊技者の遊技情報を含む遊技履歴が格納される会員別遊技履歴テーブル（図１４（ｂ）参照）とが記憶されている。
【００８６】
会員貯蓄管理テーブルには、図１３（ａ）に示すように、各会員カードＩＤに対応付けて、当該会員カードの発行を受けた会員遊技者を個々に識別可能な会員識別情報である会員ＩＤと、当該会員遊技者がその営業当日において獲得した獲得玉数の合計であって遊技や景品交換に未使用の玉数である持玉数と、当該会員遊技者がその営業前日以前において獲得した獲得玉数の合計であって遊技や景品交換に未使用の玉数である貯玉数とが記憶されており、会員カードに記憶されている会員カードＩＤ若しくは会員ＩＤから、当該会員遊技者が所有する貯蓄玉数である持玉数や貯玉数を特定できるようになっている。
【００８７】
尚、会員貯蓄管理テーブルに管理されている持玉数は、その営業当日のみ持玉数として管理されており、営業終了後の締め処理において会員貯蓄管理テーブルに存在する持玉数は、貯玉数に加算更新された後、全てリセットされる。
【００８８】
また、ビジター貯蓄管理テーブルには、図１３（ｂ）に示すように、各ビジターカードを個々に識別可能なカードＩＤに対応付けて、当該ビジターカードを所持する遊技者がその営業当日において獲得した獲得玉数の合計であって遊技や景品交換に未使用の玉数である持玉数が記憶されており、ビジターカードに記憶されているカードＩＤから、当該遊技者が所有する持玉数を特定できるようになっている。
【００８９】
尚、ビジター貯蓄管理テーブルに管理されている持玉数は、その営業当日のみ有効とされており、営業終了後の締め処理においてビジター貯蓄管理テーブルに存在する持玉数が全てリセットされることにより、無効化される。
【００９０】
会員情報テーブルには、図１４（ａ）に示すように、会員カードを所持する会員遊技者の会員ＩＤに対応付けて、本人確認のための暗証番号と、会員カードの受付けに応じて一日に１回所定の来店ポイントが加算更新される来店ポイントと、来店状況等に基づくランクと、会員の氏名（名字並びに名前）、性別、年齢、誕生日、職業、住所、電子メールアドレスからなる会員属性情報（個人情報）とが登録されている。
【００９１】
また、会員別遊技履歴テーブルには、図１４（ｂ）に示すように、会員ＩＤ毎に、当該会員遊技者の遊技履歴、具体的には、来店日、遊技を行ったパチンコ機２の台番号、機種名、遊技開始時間（時刻）、遊技終了時間（時刻）、遊技開始から終了までの間の遊技時間、始動回数、大当回数、確率変動回数（確変回数）、獲得玉数、支出金額、再プレイ玉数、使用持玉数からなる遊技履歴が格納されている。会員別遊技履歴テーブルの来店日には、ＲＴＣ１５４から出力されるカレンダ情報に基づく当該遊技履歴の記憶時点の年月日が格納されるとともに、遊技開始時間、遊技終了時間、遊技時間、始動回数、大当回数、確変回数、獲得玉数、支出金額の遊技履歴は、計数・払出ユニット４を介して会員カードの返却時にカードユニット３から送信される会員遊技履歴データに基づいて記憶される。
【００９２】
以下、本実施例のカードユニット３並びに計数・払出ユニット４において実施される処理内容について、図１５〜図２５に基づいて説明していく。
【００９３】
まず、カードユニット３の制御ユニット３２８は、カードユニット３への電源投入により起動されることで、Ｓｂ１の起動処理を実施して、各部の接続状況の確認や、システムコントローラ１００やホールコンピュータへの接続確認要求の送信、並びに該接続確認要求の送信に応じてシステムコントローラ１００、ホールコンピュータから返信される設定情報に基づく各設定データに初期値等の設定等を実施する。
【００９４】
そして、該起動処理の実施後においてＳｂ２〜Ｓｂ１０の処理を巡回実施することで、カード挿入口３０９への会員カード或いはビジターカードの挿入であるカード受付け、遊技者（会員またはビジター）による貸出ボタンの操作、紙幣挿入口３０２からの紙幣の投入による現金受付け、遊技者による返却ボタンの操作、再プレイボタン３１９の操作（表示制御基板３２９からの再プレイ操作情報の受信）、払出ボタン４０１の操作に応じた計数・払出ユニット４からの計数払出開始通知の受信、係員が所持するリモコンにおける離席操作（表示制御基板３２９からの離席操作情報の受信）、投入ホッパ４０５へのパチンコ玉の投入によるパチンコ玉の計数に応じて計数・払出ユニット４からの計数開始通知の受信、メニューボタン３１６の操作（表示制御基板３２９からのメインメニュー表示操作情報の受信）、を検知する待機状態となる。
【００９５】
尚、制御ユニット３２８は、Ｓｂ１の起動処理の後、これら図１５に示す通常処理と平行して、対応するパチンコ機２やアウト玉計数器１６から出力される、大当り中信号、確変中信号、時短中信号、始動信号、賞球信号、アウト玉計数信号の入力や変化に伴う割込の発生を監視する図示しない割込監視処理を、これら通常処理を実施する処理タスクとは個別の処理タスクに基づいて実施することで、各割込対象状態の発生を監視し、割込発生に伴う遊技情報の更新処理や、計数済玉数更新処理を、逐次実施できるようになっている。
【００９６】
上記した待機状態において、遊技者が、ビジターカードまたは会員カードをカード挿入口３０９に挿入した場合には、該ビジターカード或いは会員カードの挿入に伴う挿入検知情報がカードリーダライタ３２７から制御ユニット３２８に出力されることで、制御ユニット３２８は、Ｓｂ２においてカード受付け有りと判断してＳｂ２０のステップに進み、図示しないカード受付け処理を実施する。
【００９７】
このＳｂ２０における本実施例のカード受付け処理においては、カード挿入口３０９に挿入された会員カードまたはビジターカードの取り込み指示をカードリーダライタ３２７に出力して、挿入された会員カード或いはビジターカードをカードリーダライタ３２７のカードスロット３９２内に取り込んで、該会員カード或いはビジターカードに記憶されている記憶データ、具体的には、当該会員カード或いはビジターカードの（会員）カードＩＤと会員ＩＤ（会員カードのみ）とプリペイド残額データ、持玉数データ（ビジターカードのみ）、オフ（オン）ラインフラグ（ビジターカードのみ）等を読み出す。
【００９８】
次に制御ユニット３２８は、受付けた会員カード又はビジターカードから読み出した（会員）カードＩＤとプリペイド残額データと装置ＩＤとを含む認証要求をシステムコントローラ１００に送信し、システムコントローラ１００からの認証結果を受信するカード認証処理を実施する。
【００９９】
この認証要求の受信に応じてシステムコントローラ１００は、受信した認証要求に含まれる（会員）カードＩＤが、会員カードテーブル又はビジターカードテーブルに存在するか否かとともに、利用不可フラグに利用不可「１」が記憶されているか否かを判定し、存在するとともに利用不可「１」が記憶されていない、つまり利用不可フラグに「０」が記憶されている場合には、該（会員）カードＩＤに対応付けて会員カードテーブル又はビジターカードテーブルに記憶、管理されているプリペイド残額が、該受信した認証要求に含まれるプリペイド残額データ、すなわち、受付けた会員カード或いはビジターカードから読み出したプリペイド残額データから特定されるプリペイド残額に一致するか否かを判定し、一致することを条件に、認証結果として「認証ＯＫ」を返信する一方、会員カードテーブル又はビジターカードテーブルに当該（会員）カードＩＤが存在しない場合や、利用不可フラグに利用不可「１」が記憶されている場合並びにプリペイド残額が一致しない場合には「認証ＮＧ」を返信する。但し、プリペイド残額が一致しない場合であって、認証要求に含まれるプリペイド残額データから特定されるプリペイド残額の方が少額の場合には、会員カードテーブル又はビジターカードテーブルにおけるプリペイド残額を、該少額の金額に更新するとともに、「認証ＯＫ」を返信して、当該会員カード又はビジターカードの利用を許諾する。
【０１００】
この「認証ＯＫ」の送信に際してシステムコントローラ１００は、受信した認証要求に含まれる装置ＩＤに対応するユニット管理テーブルの「状況」のデータを「受付中」に更新するとともに、受信した認証要求に含まれる（会員）カードＩＤをユニット管理テーブルの「受付ＩＤ」の項目に格納する。
【０１０１】
システムコントローラ１００から返信された認証結果が「認証ＮＧ」である場合にカードユニット３は、受付けた会員カード或いはビジターカードの排出指示をカードリーダライタ３２７に出力して、挿入された会員カード或いはビジターカードを返却させてカード受付け処理を終了する一方、返信された認証結果が「認証ＯＫ」である場合には、図１６に示すように、対応する計数・払出ユニット４に対して、受付けた会員カード或いはビジターカードから読み出した（会員）カードＩＤと会員ＩＤ（会員カードのみ）と持玉数（ビジターカードのみ）、フラグデータ（ビジターカードのみ）を含むカード挿入通知を送信する。
【０１０２】
このカード挿入通知を受信した計数・払出ユニット４は、まず、受信したカード挿入通知に含まれる（会員）カードＩＤの先頭符号から、挿入されたカードが会員カードであるか或いはビジターカードであるかを判定し、ビジターカードである場合には、図１６（ａ）に示すように持玉数照合処理を実施する一方、会員カードである場合には、図１６（ｂ）に示ように、管理コンピュータ１５０から暗証番号、持玉数、貯玉数を取得する情報取得処理を実施する。
【０１０３】
具体的に、受信したカード挿入通知に含まれる（会員）カードＩＤの先頭符号が、「ＶＣ」で始まるカードＩＤである場合には、対応するカードユニット３に挿入されたカードがビジターカードであると判定し、該カードＩＤと受信したカード挿入通知に含まれる持玉数並びにフラグデータ（オンラインまたはオフライン）とを含む持玉数照合要求を、管理コンピュータ１５０に対して送信する。
【０１０４】
この持玉数照合要求の受信に応じて管理コンピュータ１５０は、受信した持玉数照合要求に含まれるカードＩＤが、ビジター貯蓄管理テーブルに存在するか否かを判定するとともに、存在する場合において、該カードＩＤに対応してビジター貯蓄管理テーブルに記憶されている持玉数と、受信した持玉数照合要求に含まれる持玉数とを照合し、照合結果を返信する。
【０１０５】
尚、この照合において、双方の持玉数が一致しない場合であって、フラグデータがオフラインフラグである場合には、オフライン状態においてパチンコ玉の計数や払出し並びにカードの排出があったものと判断して、ビジター貯蓄管理テーブルに記憶されている持玉数を、受信した持玉数照合要求に含まれる持玉数に更新して、照合ＯＫと判定する。
【０１０６】
該返信された照合結果が照合ＯＫである場合に計数・払出ユニット４（制御部４１０）は、「ＯＫ」を含むカード挿入結果をカードユニット３（制御ユニット３２８）に返信した後、受信したカード挿入通知に含まれるカードＩＤと持玉数とを記憶して、該持玉数の払出を可能（払出ボタン４０１の操作を有効）とする一方、返信された照合結果が照合ＮＧである場合には、「ＮＧ」を含むカード挿入結果をカードユニット３（制御ユニット３２８）に返信した後、受信したカード挿入通知に含まれるカードＩＤのみを記憶して、持玉数の払出は不可（払出ボタン４０１の操作を無効）とするとともに、流入口シャッタ４０６を閉じて、獲得玉計数器４０７による新たなパチンコ玉の計数を禁止する。
【０１０７】
このカード挿入結果の受信に応じてカードユニット３（制御ユニット３２８）は、受信したカード挿入結果が「ＯＫ」を含む場合には、受付け中のビジターカードから読み出したカードＩＤ、プリペイド残額、持玉数をカードテーブルに格納するとともに、格納したプリペイド残額を残額表示器に表示した後、Ｓｂ２〜Ｓｂ１０の待機状態に戻る。
【０１０８】
一方、受信したカード挿入結果が「ＮＧ」を含む場合には、受付け中のビジターカードから読み出したカードＩＤとプリペイド残額をカードテーブルに格納するとともに、「持玉数」としてＮＧをカードテーブルに格納し、格納したプリペイド残額を残額表示器に表示した後、Ｓｂ２〜Ｓｂ１０の待機状態に戻る。
【０１０９】
つまり、照合が一致しなかった持玉数は、計数・払出ユニット４において払出に使用されることはないので、これら持玉数を存在しないものとして扱い、認証が得られたプリペイド残額のみの使用を許可する。
【０１１０】
また、受信したカード挿入通知に含まれる（会員）カードＩＤの先頭符号が、「ＫＣ」で始まる会員カードＩＤである場合において計数・払出ユニット４（制御部４１０）は、対応するカードユニット３に挿入されたカードが会員カードであると判定し、該会員カードＩＤと受信したカード挿入通知に含まれる会員ＩＤとを含む情報取得要求を、管理コンピュータ１５０に対して送信する。
【０１１１】
この情報取得要求の受信に応じて管理コンピュータ１５０は、受信した情報取得要求に含まれる会員カードＩＤ並びに会員ＩＤが、会員貯蓄管理テーブルに存在するか否かを判定するとともに、存在する場合において、該会員カードＩＤ並びに会員ＩＤに対応して会員貯蓄管理テーブルに記憶されている持玉数と貯玉数、並びに該会員ＩＤに対応付けて会員情報テーブルに記憶されている暗証番号を読み出し、該読み出した暗証番号、貯玉数、持玉数と、ＯＫとを返信する一方、会員カードＩＤ並びに会員ＩＤが会員貯蓄管理テーブルに存在しない場合には、ＮＧのみを返信する。
【０１１２】
該返信された内容が、暗証番号、貯玉数、持玉数と、ＯＫを含む場合に計数・払出ユニット４（制御部４１０）は、該返信内容を含むカード挿入結果をカードユニット３（制御ユニット３２８）に返信した後、カードユニット３から受信したカード挿入通知に含まれる会員カードＩＤと会員ＩＤと、管理コンピュータ１４０から取得した持玉数と貯玉数とをＲＡＭに記憶する一方、返信された内容がＮＧのみである場合には、「ＮＧ」を含むカード挿入結果をカードユニット３（制御ユニット３２８）に返信した後、カードユニット３から受信したカード挿入通知に含まれる会員カードＩＤと会員ＩＤのみをカードテーブルに格納するとともに、流入口シャッタ４０６を閉じて、獲得玉計数器４０７による新たなパチンコ玉の計数を禁止する。
【０１１３】
このカード挿入結果の受信に応じてカードユニット３（制御ユニット３２８）は、受信したカード挿入結果が「ＯＫ」を含む場合には、受付け中の会員カードから読み出した会員カードＩＤ、会員ＩＤ、プリペイド残額と、該カード挿入結果に含まれる暗証番号、持玉数、貯玉数をカードテーブルに格納し、格納したプリペイド残額を残額表示器に表示した後、入金並びに玉貸が可能である旨を表示部３１２に表示して会員遊技者に報知するとともに、テンキーを含む暗証番号の受付け画面並びに暗証番号の入力を促すアナウンス表示を表示部３１２に表示して、暗証番号の受付けを行う。
【０１１４】
そして、受付けた暗証番号とカードテーブルに格納した暗証番号とを比較し、双方が一致した場合において、ＲＡＭ３２８ｂ内の所定領域の照合済みフラグを、照合済みを示す「１」に更新するとともに、計数・払出ユニット４（制御部４１０）に対し、暗証入力完了通知を送信した後、貯玉数が所定の再プレイ単位玉数以上であることを条件に、ＬＥＤ３２０ａを点灯状態として再プレイ表示部３２０により再プレイが可能であることを報知する。
【０１１５】
これら暗証入力完了通知の受信に応じて計数・払出ユニット４（制御部４１０）は、持玉数の払出を可能（払出ボタン４０１の操作を有効）とする。つまり、上述した管理コンピュータ１４０からＮＧが返信された場合には、暗証入力完了通知を受信することはあり得ないので、計数・払出ユニット４における持玉数の払出は不可（払出ボタン４０１の操作を無効）とされることになる。
【０１１６】
尚、暗証入力完了通知の受信した場合であって、カードテーブルに格納されている持玉数が「０」でない場合、つまり、持玉数の範囲内の払出が可能である場合には、再プレイを禁止する旨を含む再プレイボタン動作指定通知（図１８）がカードユニット３（制御ユニット３２８）に対して送信されることで、再プレイ操作が無効とされ、持玉数の払出のみが有効とされ、払出しにより持玉数が「０」となった場合には、許諾する旨を含む再プレイボタン動作指定通知がカードユニット３（制御ユニット３２８）に対して送信されることで、再プレイ操作が有効とされ、貯玉数を使用することができるようになっている。
【０１１７】
つまり、本実施例では、当日において会員遊技者が獲得した獲得玉数である持玉数は、貯玉数と異なり、手数料を必要とせずに払出が実施されることから、これら手数料がかからない持玉数が存在する場合において再プレイ操作を無効とすることで、手数料がかからない持玉数が存在するにもかかわらず、手数料のかかる貯玉数が使用されてしまうことによる会員遊技者の不利益の発生を解消することができるようになっている。
【０１１８】
また、受信したカード挿入結果が「ＮＧ」を含む場合にカードユニット３（制御ユニット３２８）は、受付け中の会員カードから読み出した会員カードＩＤ、会員ＩＤ、プリペイド残額と、持玉数並びに貯玉数にＮＧをカードテーブルに格納し、格納したプリペイド残額を残額表示器に表示した後、Ｓｂ２〜Ｓｂ１０の待機状態に戻る。
【０１１９】
つまり、「ＮＧ」を含むカード挿入結果を受信した場合には、計数・払出ユニット４において持玉数が払出されることがないので、これら持玉数を存在しないものとして扱うとともに、貯玉数についても存在しないものとして再プレイを許諾せず、認証が得られたプリペイド残額のみの使用を許可する。
【０１２０】
これら残額表示器にプリペイド残額が表示された後、遊技者が貸出ボタンの操作を実施した場合には、該遊技者による貸出ボタンの操作を検知するための貸出ボタンスイッチからの信号が制御ユニット３２８に出力されることで、制御ユニット３２８は、Ｓｂ２〜Ｓｂ１０の待機状態におけるＳｂ３のステップにおいて貸出ボタンの操作有りと判断してＳｂ２１のステップに進み、貸出処理を実施する。
【０１２１】
この貸出処理においては、まず、挿入された会員カード或いはビジターカード（紙幣挿入により発行されたビジターカードを含む）から読み出してＲＡＭ３２８ｂ（カードテーブル）に記憶しているプリペイド残額が、本実施例における使用単位額（貸出処理にプリペイド残額を使用する際の予め定められた単位額）となる１００円と該使用単位額に相当する消費税額である５円（本実施例においては税率５％）との合計額である税込単位額となる１０５円未満であるか否かを判定し、プリペイド残額が１０５円未満である場合には該判定において「Ｙｅｓ」と判定されて、該貸出処理を終了してＳｂ２〜Ｓｂ１０の待機状態に戻る一方、プリペイド残額が１０５円以上である場合には、次のステップに進み、プリペイド残額が本実施例において貸出処理の使用金額として設定されている５００円と該使用金額に相当する消費税額である２５円（税率５％）との合計額である税込使用額となる５２５円以上であるか否かを判定する。
【０１２２】
プリペイド残額が税込使用額以上である場合には、使用金額玉貸処理を実施する一方、税込使用額未満である場合には、表示金額玉貸処理を実施する。
【０１２３】
この使用金額玉貸処理においては、使用金額となる５００円に相当するパチンコ玉数の払出指示、具体的には、５００円分に相当する１２５玉の払出指示を、対応するパチンコ機２に対して出力して該パチンコ玉数を払い出させる。
【０１２４】
つまり、該貸出処理において制御ユニット３２８は、記録媒体処理手段となるカードリーダライタ３２７にて読み出したプリペイド残額データ並びに（会員）カードＩＤ（遊技用価値特定情報）から特定されるプリペイド残額（遊技用価値）の大きさの少なくとも一部を使用し、該使用するプリペイド残額（遊技用価値）の大きさに相当するパチンコ玉数（遊技媒体）を貸出すための処理を実施しており、該貸出処理を実施する制御ユニット３２８によって、本発明の遊技媒体貸出し手段が形成されている。
【０１２５】
そして、残額表示器に表示されているプリペイド残額（ＲＡＭ３２８ｂのカードテーブルに記憶されているプリペイド残額に同一）から、税込使用額である５２５円（４円／玉）を減算更新するとともに、カードテーブルのプリペイド残額並びに受付け中の会員カード或いはビジターカードに記憶されているプリペイド残額データを、税込使用額である５２５円を減算更新した新たなプリペイド残額を特定可能なプリペイド残額データに更新した後、システムコントローラ１００に対して、当該カードユニット３に固有に付与された装置ＩＤと、受付け中の会員カード或いはビジターカードの（会員）カードＩＤと、税込使用額とを含む貸出完了通知を送信して、システムコントローラ１００の会員カードテーブル或いはビジターカードテーブルにて該（会員）カードＩＤに対応付けて記憶されているプリペイド残額から該税込使用額を減算更新させる。
【０１２６】
そして、受付け中のカードがビジターカードであるか否かを判定し、ビジターカードでない場合には該貸出処理を終了してＳｂ２〜Ｓｂ１０の待機状態に戻る一方、ビジターカードを受付け中である場合には、残額表示器に表示されているプリペイド残額（ＲＡＭ３２８ｂのカードテーブルに記憶されているプリペイド残額に同一）が０であるか否かを判定する。
【０１２７】
そして、該判定においてプリペイド残額が０でない場合には、該貸出処理を終了してＳｂ２〜Ｓｂ１０の待機状態に戻る一方、プリペイド残額が０である場合には、更に、カードテーブルの持玉数が存在するか否かを判定する。尚、持玉数にＮＧが格納されている場合についても、存在するものと判定する。
【０１２８】
持玉数が存在する場合には、Ｓｂ２〜Ｓｂ１０の待機状態に戻る一方、持玉数が存在しない場合には、該プリペイド残額が０となったビジターカードの回収指示をカードリーダライタ３２７に出力して、カードリーダライタ３２７の内方側のカード貯留部３７０に回収するとともに、システムコントローラ１００に対し、該回収したビジターカードのカードＩＤを含む回収通知を送信してカードテーブルをリセットした後、Ｓｂ２〜Ｓｂ１０の待機状態に戻る。
【０１２９】
この回収通知を受信したシステムコントローラは、該回収通知に含まれるカードＩＤに対応するビジターカードテーブルの状況を、利用中から保管中に更新する。
【０１３０】
尚、この際、カード貯留部３７０に残存するビジターカードの残数が「０」から「１」に変化した場合、つまり、空状態が解消された場合には、ストックカード状態通知（残有り）が計数・払出ユニット４（制御部４１０）に対して送信されることで、制御部４１０は、カード貯留部３７０に発行可能なプリペイドカードが存在することを把握できるようになっている。
【０１３１】
また、カード貯留部３７０に貯留されているビジターカードが発行に使用されて、カード貯留状態が「１」から「０」に変化した場合には、ストックカード状態通知（残無し）が計数・払出ユニット４（制御部４１０）に対して送信されることで、制御部４１０は、対応するカードユニット３のカード貯留部３７０に発行可能なプリペイドカードが存在しないことを把握できるようになっており、このように、カード貯留部３７０に発行可能なプリペイドカードが存在しない場合であって、カードスロット３９２にもビジターカードの受付けがない場合、並びに、カードスロット３９２に会員カードを受付け中であって、管理コンピュータ１５０との通信状態がオフライン（非接続）状態である場合において、制御部４１０は、流入口シャッタ４０６を閉じて、獲得玉計数器４０７による新たなパチンコ玉の計数を禁止することで、これら計数され持玉数（計数済玉数）がプリペイドカードに記録できなくなることを回避するようになっている。
【０１３２】
一方、表示金額玉貸処理においては、残額表示器に表示されているプリペイド残額（ＲＡＭ３２８ｂのカードテーブルに記憶されているプリペイド残額に同一）の内、使用単位額である１００円と、該１００円に対応する消費税額である５円との合計額である１０５円（税込単位額）の整数倍の金額で最大の金額、例えば、プリペイド残額が４７５円であれば、１０５円（税込単位額）の整数倍の金額で最大の金額となる４倍に該当する４２０円に相当するパチンコ玉数の払出指示、具体的には、４２０円から消費税額である２０円を除いた税なし金額である４００円分に相当する１００玉の払出指示を、対応するパチンコ機２に対して出力して該パチンコ玉数を払い出させる。
【０１３３】
そして、残額表示器に表示されているプリペイド残額（ＲＡＭ３２８ｂのカードテーブルに記憶されているプリペイド残額に同一）から、パチンコ玉の玉貸に使用した税込みの金額である４２０円を減算更新するとともに、カードテーブルのプリペイド残額データ並びに受付け中の会員カード或いはビジターカードに記憶されているプリペイド残額データを、該税込みの金額である４２０円を減算更新した新たなプリペイド残額を特定可能なプリペイド残額データに更新した後、システムコントローラ１００に対して、当該カードユニット３に固有に付与された装置ＩＤと、受付け中の会員カード或いはビジターカードの（会員）カードＩＤと、該税込みの金額である４２０円とを含む貸出完了通知を送信して、システムコントローラ１００にて（会員）カードＩＤに対応付けて会員カードテーブル或いはビジターカードテーブルに記憶されているプリペイド残額から該税込みの金額を減算更新させる。
【０１３４】
そして、前述した場合と同様に、受付け中のカードがビジターカードであってプリペイド残額が０であるか否かを判定し、ビジターカードであってプリペイド残額が０である場合には、更に、持玉数が存在しないことを条件にビジターカードを回収した後、該貸出処理を終了してＳｂ２〜Ｓｂ１０の待機状態に戻る。
【０１３５】
また、前述したＳｂ２〜Ｓｂ１０の待機状態において、遊技者が紙幣挿入口３０２から現金（紙幣）を投入した場合には、該現金（紙幣）の投入に伴う貨幣識別情報が紙幣識別ユニット３２１から制御ユニット３２８に出力されることで、制御ユニット３２８は、Ｓｂ４のステップにおいて現金の受付け有りと判断してＳｂ２２のステップに進み、図示しない発行・入金処理を実施する。
【０１３６】
この発行・入金処理においては、まず、入力された貨幣識別情報から投入された貨幣の投入金額を特定するとともに、カードリーダライタ３２７に受付け中の会員カード或いはビジターカードが存在するか否かを判定する。
【０１３７】
そして、受付け中の会員カード或いはビジターカードが存在しないとの判定の場合に制御ユニット３２８は、カード貯留部３７０に収納されているビジターカードをカードスロット３９２上の所定の読み取り位置に移動させて、当該ビジターカードのカードＩＤを読み出し、該読み出したカードＩＤと、投入金額と、当該カードユニット３の装置ＩＤとを含む発行要求をシステムコントローラ１００に送信する。
【０１３８】
この発行要求の受信に応じてシステムコントローラ１００は、受信した発行要求に含まれるカードＩＤが、ビジターカードテーブルに存在するか否かを判定し、存在する場合には、該カードＩＤに対応するビジターカードテーブルの「状況」を「利用中」に更新するとともに、受信した投入金額を「残存金額」にプリペイド残額として格納する一方、受信した発行要求に含まれる装置ＩＤに対応するユニット管理テーブルの「状況」を「受付け中」に更新するとともに、「受付ＩＤ」に当該受信したカードＩＤを格納した後、「発行許諾」を該発行要求の送信元のカードユニット３に対して返信する。尚、受信したカードＩＤが、ビジターカードテーブルに存在しない場合には、「発行不可」が返信される。
【０１３９】
この「発行許諾」の受信に応じてカードユニット３（制御ユニット３２８）は、カードスロット３９２に移動させたビジターカードに、投入金額に相当するプリペイド残額を書き込み記憶するとともに、カードテーブルに、該ビジターカードのカードＩＤと投入金額に相当するプリペイド残額とを記憶、並びに残額表示器に該プリペイド残額を表示した後、該発行・入金処理を終了してＳｂ２〜Ｓｂ１０の待機状態に戻る。
【０１４０】
尚、システムコントローラ１００から「発行不可」を受信した場合、並びに、カード貯留部３７０にビジターカードが収納されていない場合には、紙幣挿入口３０２から投入された現金（紙幣）を返却するとともに、多機能ランプ３０１を所定のエラー報知態様にて点灯させるエラー報知処理を、該エラー状態が解消されるまで実施することで、エラーの発生を報知する。
【０１４１】
一方、現金（紙幣）の投入時においてカードスロット３９２に受付け中の会員カード或いはビジターカードが存在する場合には、上記にて特定した投入金額を、受付け中の会員カード或いはビジターカード並びにカードテーブルに記憶されているプリペイド残額データから特定されるプリペイド残額に加算して、これら各プリペイド残額データを加算後の新たなプリペイド残額を特定可能なプリペイド残額データに更新した後、該入金金額（投入金額に同じ）と当該カードユニット３の装置ＩＤと、受付け中の会員カード或いはビジターカードの（会員）カードＩＤとを含むカード入金通知をシステムコントローラ１００に送信して、該システムコントローラ１００の会員カードテーブル或いはビジターカードテーブルにおいて該（会員）カードＩＤに対応して記憶されているプリペイド残額に該入金金額を加算更新させる。
【０１４２】
そして、残額表示器に表示されているプリペイド残額を、加算更新後の新たな金額に更新表示して、該入金処理を終了してＳｂ２〜Ｓｂ１０の待機状態に戻る。
【０１４３】
また、前述したＳｂ２〜Ｓｂ１０の待機状態において、遊技者が返却ボタンの操作を実施した場合には、遊技者による返却ボタンの操作を検知するための返却ボタンスイッチからの信号が制御ユニット３２８に出力されることで、制御ユニット３２８は、Ｓｂ５において返却ボタンの操作有りと判断してＳｂ２３に進み、返却処理を実施する。
【０１４４】
つまり、制御ユニット３２８が実施するＳｂ５のステップにおいて、会員カードまたはビジターカード（遊技用記録媒体）を排出するための排出操作が検知されており、該Ｓｂ５を実施する制御ユニット３２８によって本発明の排出操作検知手段が形成されている。
【０１４５】
この返却処理においては、まず、カードリーダライタ３２７に受付け中の会員カード或いはビジターカードが存在するか否かを判定し、存在しない場合には当該操作を無効とする一方、存在する場合には、受付け中のカードが、会員カード或いはビジターカードであるかを、カードテーブルに会員ＩＤが記憶されているか否かにより判定する。
【０１４６】
該判定において、受付け中のカードが会員カードである場合には、図２３に示すように、現金の受付け、貸出ボタンの操作、再プレイボタン３１９の操作を無効とすることで、貸出処理、発行・入金処理、再プレイ処理を禁止する。尚、カードの受付けについては、会員カードが挿入された時点で、シャッタ用ソレノイド３９９によりカード挿入口３０９においてシャッタが出状態とされることで、既に新たなカードの受付けが禁止されている。
【０１４７】
そして、計数・払出ユニット４（制御部４１０）に対してカード排出通知を送信して、返却操作があったことを通知する。
【０１４８】
このカード排出通知の受信に応じて計数・払出ユニット４（制御部４１０）は、払出ボタン４０１の操作を無効とするとともに流入口シャッタ４０６を閉じることで、持玉数の払出し並びに新規のパチンコ玉の計数を禁止するとともに、ＲＡＭに記憶している会員カードＩＤや会員ＩＤ等のデータを消去した後、カード排出結果（ＯＫ）を返信する。但し、この際、管理コンピュータ１５０との通信状態がオフラインである場合には、図２５に示すように異なる処理が実施される。
【０１４９】
このカード排出結果（ＯＫ）の受信に応じてカードユニット３（制御ユニット３２８）は、排出指示をカードリーダライタ３２７に出力して受付け中の会員カードをカード挿入口３０９から排出させるともに、会員遊技情報テーブルに記憶されている会員遊技情報データをカードテーブルに格納されている会員カードＩＤと会員ＩＤとともに、計数・払出ユニット４（制御部４１０）に送信した後（図示略）、カードテーブルをリセットする。
【０１５０】
これら計数・払出ユニット４（制御部４１０）に送信された会員遊技情報データは、前述したように、管理コンピュータ１５０に中継されて、会員別遊技履歴テーブルに記憶されることで、当該会員の遊技履歴が管理コンピュータ１５０において管理される。
【０１５１】
さらにカードユニット３（制御ユニット３２８）は、多機能ランプ３０１の点灯態様を、カードの受付けが可能であることを示す所定の点灯色の点灯状態に更新するとともに、計数・払出ユニット４（制御部４１０）に対して、排出完了通知を送信した後、入金禁止を解除してＳｂ２〜Ｓｂ１０の待機状態に戻る。
【０１５２】
この排出完了通知の受信に応じて計数・払出ユニット４（制御部４１０）は、流入口シャッタ４０６の閉鎖を解除することで、パチンコ玉の計数を可能とする。但し、対応するカードユニット３に発行可能なビジターカードの残数が０である場合は、上述したように、パチンコ玉の計数は可能とされない。
【０１５３】
一方、上記した判定において、受付け中のカードがビジターカードである場合には、さらに、所定の自動払出玉数（本実施例では１２５玉）未満の端玉の払出設定が予め設定されているか否かを判定する。
【０１５４】
端玉の払出設定が設定されていない場合において制御ユニット３２８は、図２１に示すように、現金の受付け、貸出ボタンの操作を無効とすることで、貸出処理、発行・入金処理を禁止する。尚、カードの受付けについては、ビジターカードが挿入された時点で、シャッタ用ソレノイド３９９によりカード挿入口３０９におけるシャッタが出状態とされることで、既に新たなカードの受付けが禁止されている。
【０１５５】
そして、計数・払出ユニット４（制御部４１０）に対してカード排出通知を送信して、返却操作があったことを通知する。
【０１５６】
このカード排出通知の受信に応じて計数・払出ユニット４（制御部４１０）は、払出ボタン４０１の操作を無効とするとともに流入口シャッタ４０６を閉じることで、持玉数の払出し並びに新規のパチンコ玉の計数を禁止するとともに、ＲＡＭに記憶しているカードＩＤや持玉数等のデータを消去した後、カード排出結果（ＯＫ）を返信する。
【０１５７】
このカード排出結果（ＯＫ）の受信に応じてカードユニット３（制御ユニット３２８）は、対応する計数・払出ユニット４（制御部４１０）から送信される後述する上位システム切断通知並びに上位システム接続通知に基づいて、計数・払出ユニット４（制御部４１０）と管理コンピュータ１５０との接続状態を特定し、特定した接続状態がオンライン（接続）状態であれば、オンラインフラグを受付け中のビジターカードに書き込み記録し、特定した接続状態がオフライン（非接続）状態であれば、オフラインフラグを受付け中のビジターカードに書き込み記録した後、排出指示をカードリーダライタ３２７に出力して受付け中のビジターカードをカード挿入口３０９から排出させるともに、カードテーブルをリセットする。
【０１５８】
さらにカードユニット３（制御ユニット３２８）は、多機能ランプ３０１の点灯態様を、カードの受付けが可能であることを示す所定の点灯色の点灯状態に更新するとともに、計数・払出ユニット４（制御部４１０）に対して、排出完了通知を送信した後、入金禁止を解除してＳｂ２〜Ｓｂ１０の待機状態に戻る。
【０１５９】
この排出完了通知の受信に応じて計数・払出ユニット４（制御部４１０）は、流入口シャッタ４０６の閉鎖を解除することで、パチンコ玉の計数を可能とする。但し、対応するカードユニット３に発行可能なビジターカードの残数が０である場合は、上述したように、パチンコ玉の計数は可能とされない。
【０１６０】
一方、端玉の払出設定が設定されている場合において制御ユニット３２８は、図２２に示すように、払出設定が設定されていない場合と同様に、現金の受付け、貸出ボタンの操作を無効とすることで、貸出処理、発行・入金処理を禁止するとともに、その時点の計数済玉数（持玉数）が、所定の自動払出玉数（本実施例では１２５玉）未満であるか否かを判定する。
【０１６１】
計数済玉数（持玉数）が自動払出玉数未満でない場合には、計数・払出ユニット４（制御部４１０）に対してカード排出通知を送信するステップに進むことで、前述した端玉の払出設定が設定されていない場合と同一の処理を実施する一方、計数済玉数（持玉数）が自動払出玉数未満である場合には、該計数済玉数（持玉数）の払出を要求する端数玉払出要求を計数・払出ユニット４（制御部４１０）に対して送信する。
【０１６２】
この端数玉払出要求の受信に応じて計数・払出ユニット４（制御部４１０）は、払出ボタン４０１の操作を無効とするとともに流入口シャッタ４０６を閉じることで、持玉数の払出し並びに新規のパチンコ玉の計数を禁止して、端数玉払出応答を返信した後、ＲＡＭに記憶している持玉数、例えば１２４玉を含む計数払出開始通知をカードユニット３（制御ユニット３２８）に送信する。
【０１６３】
この計数払出開始通知の受信に応じて制御ユニット３２８は、該計数払出開始通知に含まれる持玉数が、カードテーブルに格納している持玉数（表示部３１２に表示されている計数済玉数に同じ）と同じであるかを確認し、同一であることを条件に計数払出開始応答（ＯＫ）を返信した後、カードテーブルに格納している持玉数並びに表示部３１２に表示されている計数済玉数を「０」に更新するとともに、更新後の持玉数である「０」を、受付け中のビジターカードに更新記録することで、該持玉数をビジターカードにより特定可能とし、該更新記録の完了に応じて減算した持玉数（１２４玉）と、減算更新後の新たな持玉数「０」とを含む計数引落完了通知を計数・払出ユニット４（制御部４１０）に対して送信する。
【０１６４】
この計数引落完了通知の受信に応じて計数・払出ユニット４（制御部４１０）は、持玉数である１２４玉のパチンコ玉の玉切り払出しユニット４０２からの払出しを開始し、１２４玉全ての払出しが完了した場合に払出しを終了するとともに、管理コンピュータ１５０に対してＲＡＭに記憶しているカードＩＤと新たな持玉数「０」とを含む持玉数更新要求を送信して、管理コンピュータ１５０のビジター貯蓄管理テーブルにおいて、該カードＩＤに対応して記憶されている持玉数を「０」に更新させる。
【０１６５】
そして、更新後の持玉数「０」を含む計数払出終了通知（貯玉数はビジターカードのため一義的に「０」）をカードユニット３（制御ユニット３２８）に対して送信する。
【０１６６】
この計数払出終了通知の受信に応じて制御ユニット３２８は、該計数払出終了通知に含まれる持玉数が、受付け中のビジターカードに更新記録した持玉数である「０」になっているかをチェックし、同じく「０」であることを条件に計数払出終了応答（ＯＫ）を返信する。
【０１６７】
そして、このように端数玉の払出が完了した後、計数・払出ユニット４（制御部４１０）に対してカード排出通知を送信するステップに進んで、前述した端玉の払出設定が設定されていない場合と同様の処理を実施することにより、受付け中のビジターカードがカード挿入口３０９から排出される。
【０１６８】
つまり、本実施例の制御ユニット３２８が実施する返却処理においては、本発明の排出操作検知手段となるＳｂ５のステップにおける排出操作の検知に応じて、本発明の遊技用価値特定情報となるプリペイド残額データが記録され、持玉数を特定可能とする特定化処理となる計数対応処理がなされたカードリーダライタ３２７（記録媒体処理手段）に受付け中の会員カードまたはビジターカード（遊技用記録媒体）を排出している。
【０１６９】
また、前述したＳｂ２〜Ｓｂ１０の待機状態において、遊技者が再プレイボタン３１９の操作を実施した場合には、該再プレイボタン３１９の操作を検知した表示制御基板３２９から再プレイ操作情報が制御ユニット３２８に入力されることで、制御ユニット３２８は、Ｓｂ６において再プレイボタン３１９の操作有りと判断してＳｂ２４に進み、図示しない再プレイ処理を実施する。
【０１７０】
この再プレイ処理においては、まず、ＲＡＭ３２８ｂ内に記憶されている暗証番号の照合済みの有無を示す照合済みフラグが、照合済みを示す「１」であるか否かを判定し、「１」でない場合（照合済みでない場合）には、遊技者が会員でないものとして該再プレイ処理を終了してＳｂ２〜Ｓｂ１０の待機状態に戻る一方、照合済みを示す「１」である場合には、さらに、ＬＥＤ３２０ａが点灯状態であるか否か、つまり、貯玉数が所定の再プレイ単位玉数以上であるか否かを判定し、ＬＥＤ３２０ａが点灯状態である場合には、カードテーブルに記憶されている貯玉数から、再プレイ単位玉数を減算更新し、再プレイ表示部３２０（ＬＥＤ３２０ａ）を消灯した後、再プレイ玉貸処理を実施する。この本実施例の再プレイ玉貸処理においては、再プレイ単位数（１３５玉）に対応するパチンコ玉数、具体的には、再プレイ単位数（１３５玉）から手数料を除いた１２５玉のパチンコ玉の払出指示を、対応するパチンコ機２に対して出力して該パチンコ玉数を払い出させる。
【０１７１】
尚、再プレイ単位玉数の減算更新後の貯玉数が、再プレイ単位玉数以上である場合には、再プレイ玉貸処理の終了後において、再度、再プレイ表示部３２０（ＬＥＤ３２０ａ）が点灯状態とされる。
【０１７２】
そして、対応する計数・払出ユニット４（制御部４１０）に対して、カードテーブルに記憶されている会員カードＩＤ並びに会員ＩＤと、貯玉数から減算した再プレイ単位数（１３５玉）とを含む再プレイ完了通知を送信した後、該再プレイ処理を終了してＳｂ２〜Ｓｂ１０の待機状態に戻る。
【０１７３】
これら計数・払出ユニット４（制御部４１０）に送信された再プレイ完了通知は、該計数・払出ユニット４（制御部４１０）により管理コンピュータ１５０に中継され、管理コンピュータ１５０における会員貯蓄管理テーブルにおいて、該再プレイ完了通知に含まれる会員カードＩＤ並びに会員ＩＤに対応付けて記憶されている貯玉数から再プレイ単位数（１３５玉）が減算更新される。
【０１７４】
また、遊技者が、パチンコ機２における遊技によりパチンコ玉を獲得し、該獲得したパチンコ玉を計数するために、下皿２４からから投入ホッパ４０５に投入した場合には、該投入ホッパ４０５に投入されたパチンコ玉が計数玉流入路４０４を通じて獲得玉計数器４０７に供給されて計数されることにより、計数・払出ユニット４（制御部４１０）からは、図１７並びに図１８に示すように、パチンコ玉の計数が開始されたことを知らせるための計数開始通知がカードユニット３（制御ユニット３２８）に送信される。
【０１７５】
このようにして送信された計数開始通知の受信は、前述したＳｂ２〜Ｓｂ１０の待機状態におけるＳｂ９において検知されてＳｂ２７に進み、計数対応処理が実施される。
【０１７６】
この計数対応処理としては、カードリーダライタ３２７に受付け中のカードがビジターカードである場合と会員カードである場合で異なる内容の処理とされており、受付け中のカードがビジターカードである場合については、図１７に示す処理が実施され、受付け中のカードが会員カードである場合については、図１８に示す処理が実施される。
【０１７７】
まず、受付け中のカードがビジターカードである場合には、図１７に示すように、現金の受付け、貸出ボタンの操作、返却ボタンの操作を無効とすることで、発行・入金処理、貸出処理、返却処理を禁止するとともに、受付け中のビジターカードから読み出してカードテーブルに記憶しているカードＩＤと会員ＩＤ（ビジターカードであるのでなし）と、操作の禁止が完了した旨を示すＯＫとを含む計数開始応答を返信する。
【０１７８】
尚、これら計数開始応答が返信されない場合において計数・払出ユニット４（制御部４１０）は、対応するカードユニット３に異常が発生したものと判断して、流入口シャッタ４０６を閉じてパチンコ玉の計数を中止し、計数開始応答の返信があった場合には、流入口シャッタ４０６を開放したまま、パチンコ玉の計数を継続して行い、獲得玉計数器４０７の計数値が所定時間（例えば３秒）変化が無いことにより、計数の終了を判断する。
【０１７９】
そして、計数の終了を判断した場合には、カードユニット３（制御ユニット３２８）に対して、新たに計数したパチンコ玉数である追加玉数と、該追加玉数を該計数以前の持玉数に加算した新たな持玉数と、当日の取引に対して付与される通し番号である取引通番、並びに受信した計数開始応答に含まれるカードＩＤと会員ＩＤ（ビジターカードであるのでなし）とを含む計数終了通知を返信する。
【０１８０】
この計数終了通知の受信に応じてカードユニット３（制御ユニット３２８）は、該計数終了通知に含まれる新たな持玉数が、カードテーブルに記憶されている持玉数に該計数終了通知に含まれる追加玉数を加算したものに一致することを確認して、該新たな持玉数にカードテーブルの持玉数を更新するとともに、表示部３１２に表示されている計数済玉数の表示を、新たな持玉数に更新する。
【０１８１】
さらに、カードリーダライタ３２７に受付け中のビジターカードに、該新たな持玉数を更新記録した後、計数・払出ユニット４（制御部４１０）に対して、受信した計数終了通知に含まれる取引通番と、該ビジターカードのカードＩＤと会員ＩＤ（ビジターカードであるのでなし）とを含む計数終了応答を返信した後、計数開始通知の受信に応じて実施した上記各処理の禁止を解除してＳｂ２〜Ｓｂ１０の待機状態に戻る。
【０１８２】
尚、計数終了応答を受信した計数・払出ユニット４（制御部４１０）は、該計数終了応答に含まれるカードＩＤと会員ＩＤ（ビジターカードの場合はなし）と取引通番とが、計数終了通知におけるカードＩＤと会員ＩＤ（ビジターカードの場合はなし）と取引通番と一致することを確認して、カードＩＤと会員ＩＤ（ビジターカードの場合はなし）と追加玉数と新たな持玉数とを含む持玉加算要求を管理コンピュータ１５０に対して送信して、該管理コンピュータ１５０におけるビジター貯蓄管理テーブルにおいて、該カードＩＤに対応付けて記憶されている持玉数に追加玉数を加算更新させて、新たな持玉数に更新させる。
【０１８３】
尚、この際、計数・払出ユニット４（制御部４１０）と管理コンピュータ１５０との通信状態が、オフライン状態である場合には、これらカードＩＤと会員ＩＤ（ビジターカードの場合はなし）と追加玉数と新たな持玉数とを持玉加算履歴としてＥＥＰＲＯＭに記憶しておき、管理コンピュータ１５０と通信状態がオンライン状態に復帰したときに、該持玉加算履歴が管理コンピュータ１５０に送信されて、これら持玉加算履歴に基づいてビジター貯蓄管理テーブルにおける当該持玉数が更新される。
【０１８４】
一方、受付け中のカードが会員カードである場合には、図１８に示すように、現金の受付け、貸出ボタンの操作、返却ボタンの操作、再プレイボタン３１９の操作を無効とすることで、発行・入金処理、貸出処理、返却処理、再プレイ処理を禁止するとともに、受付け中の会員カードから読み出してカードテーブルに記憶している会員カードＩＤと会員ＩＤと、操作の禁止が完了した旨を示すＯＫとを含む計数開始応答を返信する。
【０１８５】
尚、これら計数開始応答が返信されない場合において計数・払出ユニット４（制御部４１０）は、対応するカードユニット３に異常が発生したものと判断して、流入口シャッタ４０６を閉じてパチンコ玉の計数を中止し、計数開始応答の返信があった場合には、流入口シャッタ４０６を開放したまま、パチンコ玉の計数を継続して行い、獲得玉計数器４０７の計数値が所定時間（例えば３秒）変化が無いことにより、計数の終了を判断する。
【０１８６】
そして、計数の終了を判断した場合には、カードユニット３（制御ユニット３２８）に対して、新たに計数したパチンコ玉数である追加玉数と、該追加玉数を該計数以前の持玉数に加算した新たな持玉数と、当日の取引に対して付与される通し番号である取引通番、並びに受信した計数開始応答に含まれるカードＩＤと会員ＩＤとを含む計数終了通知を返信する。
【０１８７】
この計数終了通知の受信に応じてカードユニット３（制御ユニット３２８）は、該計数終了通知に含まれる新たな持玉数が、カードテーブルに記憶されている持玉数に該計数終了通知に含まれる追加玉数を加算したものに一致することを確認して、該新たな持玉数にカードテーブルの持玉数を更新するとともに、表示部３１２に表示されている計数済玉数の表示を、新たな持玉数に更新する。
【０１８８】
そして、計数・払出ユニット４（制御部４１０）に対して、受信した計数終了通知に含まれる取引通番と、カードリーダライタ３２７に受付け中の会員カードの会員カードＩＤと会員ＩＤとを含む計数終了応答を返信した後、計数開始通知の受信に応じて実施した上記各処理の禁止を解除してＳｂ２〜Ｓｂ１０の待機状態に戻る。
【０１８９】
つまり、本実施例の制御ユニット３２８は、計数対応処理において、カードリーダライタ（記録媒体処理手段）に会員カード（会員用記録媒体）を受付け中において、計数・払出ユニット４（遊技媒体計数装置）から計数終了通知を受信したときには、該計数終了通知から特定される持玉数（獲得遊技媒体数）を受付け中の会員カード（会員用記録媒体）に記録することなく、計数終了応答を返信している。
【０１９０】
尚、この際、図１８に示すように、持玉数が「０」から「ＸＸＸ」に変化した場合には、これら持玉数の払出が計数・払出ユニット４において可能とされるので、計数・払出ユニット４（制御部４１０）からカードユニット３（制御ユニット３２８）に対して、上述したように、再プレイを禁止する旨を含む再プレイボタン動作指定通知が送信されることにより、カードユニット３において再プレイボタン３１９の操作が無効とされることで、再プレイ処理が禁止される。
【０１９１】
また、計数終了応答を受信した計数・払出ユニット４（制御部４１０）は、該計数終了応答に含まれる会員カードＩＤと会員ＩＤと取引通番とが、計数終了通知における会員カードＩＤと会員ＩＤと取引通番と一致することを確認して、会員カードＩＤと会員ＩＤと追加玉数と新たな持玉数とを含む持玉加算要求を管理コンピュータ１５０に対して送信して、該管理コンピュータ１５０における会員貯蓄管理テーブルにおいて、該会員カードＩＤ並びに会員ＩＤに対応付けて記憶されている持玉数に追加玉数を加算更新させて、新たな持玉数に更新させる。
【０１９２】
尚、この際、計数・払出ユニット４（制御部４１０）と管理コンピュータ１５０との通信状態が、オフライン状態である場合には、これら会員カードＩＤと会員ＩＤと追加玉数と新たな持玉数とを持玉加算履歴としてＥＥＰＲＯＭに記憶しておき、管理コンピュータ１５０と通信状態がオンライン状態に復帰したときに、該持玉加算履歴が管理コンピュータ１５０に送信されて、これら持玉加算履歴に基づいて会員貯蓄管理テーブルにおける当該持玉数が更新される。
【０１９３】
つまり、本実施例の計数対応処理においては、通信部３３５（計数装置通信手段）にて計数・払出ユニット４（遊技媒体計数装置）から受信した計数終了通知に含まれる持玉数（獲得遊技媒体数）が、カードリーダライタ３２７（記録媒体処理手段）に受付け中の会員カードまたはビジターカード（遊技用記録媒体）により特定可能とされており、該計数対応処理を実施する制御ユニット３２８によって本発明の特定化処理手段が形成されている。
【０１９４】
また、本実施例の制御ユニット３２８は、本発明の特定化処理となる計数対応処理において、パチンコ玉（遊技媒体）の計数が実施されることにより計数・払出ユニット４（遊技媒体計数装置）から送信される持玉数（獲得遊技媒体数）を含む計数終了通知を受信する毎に、該受信した持玉数（獲得遊技媒体数）をカードリーダライタ３２７（記録媒体処理手段）に受付け中のビジターカード（遊技用記録媒体）に記録している。
【０１９５】
また、本実施例の制御ユニット３２８は、図１７に示すように、計数・払出ユニット４（遊技媒体計数装置）においてパチンコ玉（遊技媒体）の計数が開始されたことに応じて該計数・払出ユニット４から送信される計数開始通知を受信した時点から、該開始されたパチンコ玉（遊技媒体）の計数が終了したことに応じて該計数・払出ユニット４から送信される該計数に基づく持玉数（獲得遊技媒体数）を含む計数終了通知を受信することにより、該計数終了通知に含まれる持玉数（獲得遊技媒体数）をビジターカード（遊技用記録媒体）に記録するための計数対応処理（特定化処理）が完了した旨を特定可能な計数終了応答を該計数・払出ユニット４に返信する時点まで、前記Ｓｂ５のステップにおける排出操作の検知に応じたビジターカードの（遊技用記録媒体）の排出を禁止している。
【０１９６】
これら更新された計数済玉数（持玉数）をパチンコ機２で再度使用するために遊技者が、計数・払出ユニット４の払出ボタン４０１を操作した場合には、計数・払出ユニット４（制御部４１０）からカードユニット３（制御ユニット３２８）に対し、図１９並びに図２０に示すように、所定の自動払出玉数（本実施例では１２５玉）を含む計数払出開始通知が送信される。
【０１９７】
このようにして送信された計数払出開始通知の受信は、前述したＳｂ２〜Ｓｂ１０の待機状態におけるＳｂ７において検知されてＳｂ２５に進み、払出対応処理が実施される。
【０１９８】
この払出対応処理としては、カードリーダライタ３２７に受付け中のカードがビジターカードである場合と会員カードである場合で異なる内容の処理とされており、受付け中のカードがビジターカードである場合については、図１９に示す処理が実施され、受付け中のカードが会員カードである場合については、図２０に示す処理が実施される。
【０１９９】
まず、受付け中のカードがビジターカードである場合にカードユニット３（制御ユニット３２８）は、図１９に示すように、現金の受付け、貸出ボタンの操作、返却ボタンの操作を無効とすることで、発行・入金処理、貸出処理、返却処理を禁止するとともに、操作の禁止が完了した旨を示すＯＫを含む計数払出開始応答を返信し、カードテーブルに記憶されている持玉数から、受信した計数払出開始通知に含まれる自動払出玉数（本実施例では１２５玉）を減算更新するとともに、該減算更新後の新たな持玉数に表示部３１２に表示されている計数済玉数を更新する。
【０２００】
さらに、カードリーダライタ３２７に受付け中のビジターカードに、該減算更新後の新たな持玉数を更新記録した後、計数・払出ユニット４（制御部４１０）に対して、減算した持玉数（自動払出玉数に同じ）と、減算更新後の新たな持玉数とを含む計数引落完了通知を計数・払出ユニット４（制御部４１０）に対して送信する。
【０２０１】
この計数引落完了通知の受信に応じて計数・払出ユニット４（制御部４１０）は、玉切り払出しユニット４０２からの自動払出玉数（本実施例では１２５玉）のパチンコ玉の払出しを開始し、１２５玉全ての払出しが完了した場合に払出しを終了するとともに、管理コンピュータ１５０に対してＲＡＭに記憶しているカードＩＤと、自動払出玉数、減算更新後の新たな持玉数とを含む持玉数更新要求を送信して、管理コンピュータ１５０のビジター貯蓄管理テーブルにおいて、該カードＩＤに対応付けて記憶されている持玉数を、減算更新後の新たな持玉数に更新させる。
【０２０２】
尚、この際、計数・払出ユニット４（制御部４１０）と管理コンピュータ１５０との通信状態が、オフライン状態である場合には、これらカードＩＤと会員ＩＤ（ビジターカードの場合はなし）と自動払出玉数と新たな持玉数とを持玉減算履歴としてＥＥＰＲＯＭに記憶しておき、管理コンピュータ１５０と通信状態がオンライン状態に復帰したときに、該持玉減算履歴が管理コンピュータ１５０に送信されて、これら持玉減算履歴に基づいてビジター貯蓄管理テーブルにおける当該持玉数が更新される。
【０２０３】
そして、減算更新後の新たな持玉数を含む計数払出終了通知（貯玉数はビジターカードのため一義的に「０」）をカードユニット３（制御ユニット３２８）に対して送信する。
【０２０４】
この計数払出終了通知の受信に応じて制御ユニット３２８は、該計数払出終了通知に含まれる持玉数が、受付け中のビジターカードに更新記録した持玉数となっているかをチェックし、同じであることを条件に計数払出終了応答（ＯＫ）を返信した後、計数払出開始通知の受信に応じて実施した上記各処理の禁止を解除してＳｂ２〜Ｓｂ１０の待機状態に戻る。
【０２０５】
つまり、本実施例の払出対応処理において制御ユニット３２８は、カードリーダライタ３２７（記録媒体処理手段）に、持玉数（獲得遊技媒体数）が記録されたビジターカード（遊技用記録媒体）を受付け中に、計数・払出ユニット４（遊技媒体計数装置）においてパチンコ玉（遊技媒体）の払出操作である払出ボタン４０１の操作が行われた旨を特定可能な払出開始通知を該計数・払出ユニット４から受信した時点から、該払出ボタン４０１の操作（払出操作）に応じて計数・払出ユニット４において払出される遊技媒体数である単位払出玉数を減じた新たな持玉数（獲得遊技媒体数）を該受付け中のビジターカード（遊技用記録媒体）に更新記録する減算処理が完了した旨を特定可能な減算終了通知（計数引落完了通知）を該計数・払出ユニット４に返信する時点まで、Ｓｂ５のステップ（排出操作検知手段）による排出操作の検知に応じたビジターカード（遊技用記録媒体）の排出を禁止している。
【０２０６】
一方、受付け中のカードが会員カードである場合には、図２０に示すように、現金の受付け、貸出ボタンの操作、返却ボタンの操作、再プレイボタン３１９の操作を無効とすることで、発行・入金処理、貸出処理、返却処理、再プレイ処理を禁止するとともに、操作の禁止が完了した旨を示すＯＫを含む計数払出開始応答を返信し、カードテーブルに記憶されている持玉数から、受信した計数払出開始通知に含まれる自動払出玉数（本実施例では１２５玉）を減算更新するとともに、該減算更新後の新たな持玉数に表示部３１２に表示されている計数済玉数を更新する。
【０２０７】
そして、計数・払出ユニット４（制御部４１０）に対して、減算した持玉数（自動払出玉数に同じ）と、減算更新後の新たな持玉数とを含む計数引落完了通知を計数・払出ユニット４（制御部４１０）に対して送信する。
【０２０８】
つまり、本実施例の制御ユニット３２８は、カードリーダライタ３２７（記録媒体処理手段）に会員カード（会員用記録媒体）を受付け中において、計数・払出ユニット４（遊技媒体計数装置）から計数払出開始通知（払出開始通知）を受信したときには、会員カードに減算後の持玉数を記録する減算処理を実施することなく計数引落完了通知（減算終了通知）を返信している。
【０２０９】
この計数引落完了通知の受信に応じて計数・払出ユニット４（制御部４１０）は、玉切り払出しユニット４０２からの自動払出玉数（本実施例では１２５玉）のパチンコ玉の払出しを開始し、１２５玉全ての払出しが完了した場合に払出しを終了するとともに、管理コンピュータ１５０に対してＲＡＭに記憶している会員カードＩＤ並びに会員ＩＤと、自動払出玉数並びに減算更新後の新たな持玉数とを含む持玉数更新要求を送信して、管理コンピュータ１５０の会員貯蓄管理テーブルにおいて、該会員カードＩＤ並びに会員ＩＤに対応付けて記憶されている持玉数を、減算更新後の新たな持玉数に更新させる。
【０２１０】
尚、この際、計数・払出ユニット４（制御部４１０）と管理コンピュータ１５０との通信状態が、オフライン状態である場合には、これら会員カードＩＤと会員ＩＤと自動払出玉数と新たな持玉数とを持玉減算履歴としてＥＥＰＲＯＭに記憶しておき、管理コンピュータ１５０と通信状態がオンライン状態に復帰したときに、該持玉減算履歴が管理コンピュータ１５０に送信されて、これら持玉減算履歴に基づいて会員貯蓄管理テーブルにおける当該持玉数が更新される。
【０２１１】
そして、減算更新後の新たな持玉数とＲＡＭに記憶されている貯玉数と含む計数払出終了通知をカードユニット３（制御ユニット３２８）に対して送信する。
【０２１２】
この計数払出終了通知の受信に応じて制御ユニット３２８は、持玉数をチェックすることなく計数払出終了応答（ＯＫ）を返信した後、計数払出開始通知の受信に応じて実施した上記各処理の禁止を解除してＳｂ２〜Ｓｂ１０の待機状態に戻る。
【０２１３】
また、遊技者が所用で離席したい場合には、係員を呼んで、該係員が所持するリモコンにおいて離席操作を実施してもらい、離席モードに移行させることが必要となる。
【０２１４】
このリモコンにおいて離席操作があった場合には、該リモコンから離席操作に応じた所定の赤外線信号が出力されることで、該赤外線信号がＩＲ受光ユニット３１５にて離席操作を特定可能な所定の電気信号に変換されて表示制御基板３２９に出力されることで、表示制御基板３２９から制御ユニット３２８に対し、離席操作があった旨の離席操作情報が出力される。
【０２１５】
つまり、本実施例のＩＲ受光ユニット３１５において、遊技者が遊技を中断するためのリモコンにおける離席操作により送信される赤外線信号を受付けており、該ＩＲ受光ユニット３１５によって本発明の離席操作受付け手段が形成されている。
【０２１６】
この離席操作情報の出力は、前述したＳｂ２〜Ｓｂ１０の待機状態におけるＳｂ８において検知されることで離席操作有りと判断され、Ｓｂ２６に進んで、図２４に示すように離席処理を実施する。
【０２１７】
この離席処理において制御ユニット３２８は、まず、全ての操作を無効とするとともに、計数・払出ユニット４（制御部４１０）に対してカード排出通知（離席）を送信する。
【０２１８】
このカード排出通知（離席）の受信に応じて計数・払出ユニット４（制御部４１０）は、払出ボタン４０１の操作を無効とするとともに流入口シャッタ４０６を閉じることで、持玉数の払出し並びに新規のパチンコ玉の計数を禁止した後、これら新規の払出並びに計数の禁止が完了した旨となるカード排出結果（ＯＫ）を返信する。
【０２１９】
このカード排出結果（ＯＫ）の受信に応じてカードユニット３（制御ユニット３２８）は、離席モードに移行する旨となる離席モード通知（開始）を計数・払出ユニット４（制御部４１０）に対して送信することで、制御部４１０は、カードユニット３が離席モードとなったものと判断して、その時点においてＲＡＭに記憶されている（会員）カードＩＤや会員ＩＤ（会員のみ）や持玉数や貯玉数（会員のみ）等のデータを、ＥＥＰＲＯＭに記憶してバックアップするとともに、該開始された離席モードが解除される際に送信される離席モード通知（解除）並びにカード挿入通知を受信するまで、払出ボタン４０１の操作無効並びに流入口シャッタ４０６の閉鎖を継続する。
【０２２０】
離席モード通知（開始）の送信後においてカードユニット３（制御ユニット３２８）は、カードリーダライタ３２７に受付け中の（会員）カードＩＤ並びに会員ＩＤ（会員カードのみ）と持玉数とを、長い電源遮断等によりＲＡＭ３２８ｂのカードデータが消失しても、これらの（会員）カードＩＤ並びに会員ＩＤの記憶が残るように、ＥＥＰＲＯＭ３２８ｃの所定記憶領域に記憶した後、排出指示をカードリーダライタ３２７に出力して受付け中の会員カード或いはビジターカードをカード挿入口３０９から排出させるとともに、カード挿入禁止指示をカードリーダライタ３２７に出力しないことにより、該排出に伴って、シャッタ用ソレノイド３９９によりカード挿入口３０９のシャッタが没状態とされることで、カード挿入口３０９からのカード挿入のみを許可する離席モードに移行する。
【０２２１】
尚、本実施例では、前述したように、制御ユニット３２８のＲＡＭ３２８ｂは、電池によりバックアップされているため、（会員）カードＩＤ並びに会員ＩＤ（会員のみ）を離席モードの解消対象とするカードの情報として、ＲＡＭ３２８ｂ内の所定領域に改めて記憶しても良いし、或いは、本実施例のように、会員カード或いはビジターカードの受付け時においてカードテーブルに（会員）カードＩＤ並びに会員ＩＤ（会員カードのみ）が既に記憶されている場合には、これら新たな（会員）カードＩＤ並びに会員ＩＤの記憶の実施を省略して、該カードテーブルに既に記憶されている（会員）カードＩＤ並びに会員ＩＤ（会員カードのみ）を利用するようにしても良い。
【０２２２】
遊技者は、カード挿入口３０９から排出された会員カード或いはビジターカードを持参して離席すれば良い。
【０２２３】
そして、遊技者が所用を終えて遊技を再開する場合には、離席時に排出された会員カードまたはビジターカードをカード挿入口３０９に挿入すれば良く、該会員カードまたはビジターカードの挿入があった場合に制御ユニット３２８は、挿入された会員カードまたはビジターカードから（会員）カードＩＤ並びに会員ＩＤ（会員カードのみ）を読み出して、ＥＥＰＲＯＭ３２８ｃの所定記憶領域に記憶した（会員）カードＩＤ並びに会員ＩＤ（会員カードのみ）と一致するか否かを判定する。
【０２２４】
（会員）カードＩＤ並びに会員ＩＤ（会員カードのみ）が一致しない場合には、挿入された該会員カードまたはビジターカードを排出して離席モードを継続する一方、（会員）カードＩＤ並びに会員ＩＤ（会員カードのみ）が一致した場合には、離席モード通知（解除）を計数・払出ユニット４（制御部４１０）に対して送信するとともに、該（会員）カードＩＤ並びに会員ＩＤ（会員カードのみ）と持玉数とを含むカード挿入通知を送信する。
【０２２５】
この離席モード通知（解除）並びにカード挿入通知の受信に応じて計数・払出ユニット４（制御部４１０）は、該カード挿入通知に含まれる（会員）カードＩＤ並びに会員ＩＤ（会員カードのみ）と持玉数が、ＥＥＰＲＯＭに記憶している（会員）カードＩＤ並びに会員ＩＤ（会員カードのみ）と持玉数と一致することを確認して、カード挿入結果（ＯＫ）をカードユニット３（制御ユニット３２８）に返信するとともに、ＥＥＰＲＯＭの記憶データを消去し、さらに、払出ボタン４０１の操作無効並びに流入口シャッタ４０６の閉鎖を解除する。
【０２２６】
そして、該カード挿入結果（ＯＫ）の受信に応じてカードユニット３（制御ユニット３２８）は、ＥＥＰＲＯＭ３２８ｃの所定記憶領域に記憶した（会員）カードＩＤ並びに会員ＩＤ（会員カードのみ）を消去するとともに、離席モードの移行において実施した操作の禁止を全て解除することで、離席モードから通常モードに移行して、Ｓｂ２〜Ｓｂ１０の待機状態に戻る。
【０２２７】
つまり、本実施例の離席処理においては、ＩＲ受光ユニット３１５における、リモコンにおける離席操作に応じて送信される赤外線信号の受付けに応じて、計数・払出ユニット４（遊技媒体計数装置）に対し、離席モードを開始する旨を特定可能な離席モード開始通知となる離席モード通知（開始）を送信し、カードリーダライタ３２７（記録媒体処理手段）に受付け中の会員カードまたはビジターカード（遊技用記録媒体）から読み出した、該会員カードまたはビジターカードを特定可能な会員カードＩＤまたはカードＩＤ（記録媒体識別情報）を記憶して該会員カードまたはビジターカードを排出するとともに、会員カードまたはビジターカードの受付け以外の操作を禁止して離席モードを開始し、離席モード中に受付けた会員カードまたはビジターカードから読み出した会員カードＩＤまたはカードＩＤ（記録媒体識別情報）が、該離席モードの開始時に記憶した会員カードＩＤまたはカードＩＤ（記録媒体識別情報）と一致することを条件に、離席モードを終了する旨を特定可能な離席モード終了通知となる離席モード通知（終了）を計数・払出ユニット４（遊技媒体計数装置）に送信するとともに、操作の禁止を解除して離席モードを終了している。
【０２２８】
尚、離席した遊技者が長時間経っても戻らない場合等においては、離席モードを強制的に解除することができるようになっており、このように、離席モードの強制解除を行う場合において係員は、所持しているリモコンに設けられている強制解除ボタンを操作すれば良く、該強制解除ボタンの操作により、該リモコンから強制解除ボタンの操作（強制解除操作）に応じた所定の赤外線信号が出力されることで、該赤外線信号がＩＲ受光ユニット３１５にて該強制解除操作を特定可能な所定の電気信号に変換されて表示制御基板３２９に出力されることで、表示制御基板３２９から制御ユニット３２８に対し、強制解除操作があった旨の強制解除操作情報が出力される。
【０２２９】
離席モード中において該強制解除操作情報の入力があった場合において制御ユニット３２８は、計数・払出ユニット４（制御部４１０）に対して離席モード通知（強制解除）を送信する。
【０２３０】
この離席モード通知（強制解除）の受信があった場合において計数・払出ユニット４（制御部４１０）は、ＥＥＰＲＯＭにバックアップ記憶しているデータを、強制解除履歴データとしてＥＥＰＲＯＭの他の所定領域に記憶して、該バックアップデータを消去するとともに、ＲＡＭに記憶されている（会員）カードＩＤや会員ＩＤ（会員のみ）や持玉数や貯玉数（会員のみ）等の該データも消去した後、流入口シャッタ４０６の閉鎖を解除する。
【０２３１】
一方、離席モード通知（強制解除）を送信した後、制御ユニット３２８は、ＥＥＰＲＯＭ３２８ｃの所定記憶領域に記憶した（会員）カードＩＤ並びに会員ＩＤ（会員カードのみ）と持玉数のデータを、計数・払出ユニット４（制御部４１０）と同様に、強制解除履歴データとしてＥＥＰＲＯＭ３２８ｃの他の所定領域に記憶した後、該データを消去するとともに、カードテーブルをリセットする。
【０２３２】
そして、離席モードの移行において実施した操作の禁止を全て解除することで、離席モードから通常モードに移行して、Ｓｂ２〜Ｓｂ１０の待機状態に戻り、新たな会員カード或いはビジターカード並びに紙幣の受付けが可能とされる。
【０２３３】
尚、この際、対応するパチンコ機２に未計数のパチンコ玉が存在している場合には、離席モード通知（強制解除）の受信に応じて流入口シャッタ４０６が開放されることで、これら未計数のパチンコ玉が計数され、該計数後の持玉数が強制解除履歴データとして記憶される。
【０２３４】
また、強制解除履歴データは、システムコントローラ１００並びに管理コンピュータ１５０からの送信要求に応じて、或いは営業終了時の締め処理においてシステムコントローラ１００並びに管理コンピュータ１５０に送信され、該システムコントローラ１００並びに管理コンピュータ１５０にて記憶・管理されることで、離席者によるクレームがあった場合でも、これらシステムコントローラ１００或いは管理コンピュータ１５０に記憶・管理されている強制解除履歴データにより、システムコントローラ１００或いは管理コンピュータ１５０のいずれかに障害が発生しても、当該離席者が所有する持玉数を確実に保証することができるようになっている。
【０２３５】
また、前述したＳｂ２〜Ｓｂ１０の待機状態において、遊技者がメニューボタン３１６の操作を実施した場合には、該メニューボタン３１６の操作を検知した表示制御基板３２９からメインメニュー表示操作情報が制御ユニット３２８に入力されることで、制御ユニット３２８は、Ｓｂ１０においてメニューボタン３１６の操作有りと判断してＳｂ２８に進み、図示しないメニュー表示処理を実施する。
【０２３６】
このメニュー表示処理において制御ユニット３２８は、まず、カードテーブルに記憶されているデータに基づいて、対応するパチンコ機２で遊技中の遊技者が会員であるか否か（会員ＩＤが記憶されているか否か）を判定し、遊技者が会員でない場合（会員ＩＤが記憶されていない場合）には、会員固有のメニュー項目を含まない「台データ」、「ランキング」、「お知らせ」の各メニュー項目のみを含むビジターメインメニュー（図５参照）を、ビジターメインメニュー表示指示を表示制御基板３２９に出力することにより、表示部３１２に表示させる一方、遊技者が会員である場合には、会員固有のメニュー項目である「ポイント表示」、「再プレイ」のメニュー項目とをさらに含む、図５に示す会員メインメニューを、会員メインメニュー表示指示を表示制御基板３２９に出力することにより表示部３１２に表示させる。
【０２３７】
これら表示部３１２に表示された各メニュー項目は、遊技者が選択操作可能とされており、所定時間内にいずれかのメニュー項目が選択されない場合には、メニュー表示終了指示を表示制御基板３２９に出力することでメインメニューの表示を終了させた後、Ｓｂ２〜Ｓｂ１０の待機状態に戻る一方、所定時間内にいずれかのメニュー項目が選択された場合には、該選択されたメニュー項目に該当する処理を実行した後、Ｓｂ２〜Ｓｂ１０の待機状態に戻る。
【０２３８】
尚、メインメニュー中の「再プレイ」メニューが選択された場合には、前述したＳｂ２４の再プレイ処理が実行される。
【０２３９】
また、「台データ」のメニューが選択された場合には、遊技情報テーブルに記憶されている本日の各データが表示され、「ランキング」のメニューが選択された場合には、ランキングの種別、具体的には、出球ランキング、大当りランキング、連荘ランキング等を選択するサブメニュー画面が表示され、該サブメニュー画面にて選択された種別のランキングデータがホールコンピュータから取得されて表示部３１２に表示される。
【０２４０】
また、「ポイント表示」のメニューが選択された場合には、カードテーブルに記憶されている来店ポイントのポイント数（来店ポイントの記憶がない場合には、来店ポイント取得要求を計数・払出ユニット４に対して送信することで、該来店ポイント取得要求が管理コンピュータ１５０に中継されることにより、該計数・払出ユニット４を介して管理コンピュータ１５０から来店ポイント数を取得する）が表示部３１２に表示され、「お知らせ」のメニューが選択された場合には、ＲＡＭ３２８ｂ内に記憶されているお知らせ情報が表示部３１２に表示される。
【０２４１】
尚、表示部３１２の下方の「計数済玉数」の表示は、メインメニューとは異なり、常に表示部３１２の下方において表示されることで、遊技者は、常時、計数済玉数の数値を確認できるようになっている。
【０２４２】
次に、管理コンピュータ１５０と計数・払出ユニット４とがオフラインである場合における処理内容について、図２５に基づいて以下に説明する。
【０２４３】
本実施例の計数・払出ユニット４（制御部４１０）は、所定時間間隔（例えば１０秒）毎に管理コンピュータ１５０から送信される通信状況情報の受信の有無により、管理コンピュータ１５０との通信状態が、オンライン（接続）状態であるか又はオフライン（接続）状態であるかを監視しており、該監視においてオフライン（接続）状態が発生した場合には、図２５に示すように、上位システム切断通知をカードユニット３（制御ユニット３２８）に対して送信する。
【０２４４】
この上位システム切断通知の受信に応じて制御ユニット３２８は、ＲＡＭ３２８ｂに記憶されている上位システム切断フラグを、オンライン（接続）状態を示す「１」からオフライン（接続）状態を示す「０」に更新する。
【０２４５】
つまり、制御ユニット３２８は、上位システム切断フラグにより、対応する計数・払出ユニット４が管理コンピュータ１５０とオンライン（接続）状態であるか又はオフライン（接続）状態であるかを特定するようになっている。
【０２４６】
これら上位システム切断フラグがオフライン（接続）状態である「０」である場合において、投入ホッパ４０５へのパチンコ玉の投入によって、該投入されたパチンコ玉が獲得玉計数器４０７にて計数されることにより、計数・払出ユニット４（制御部４１０）から計数開始通知が送信されてきた場合には、オンライン時において計数開始通知を受信した場合と同様に、現金の受付け、貸出ボタンの操作、返却ボタンの操作（会員カードを受付け中の場合には再プレイボタン３１９の操作も）を無効とすることで、発行・入金処理、貸出処理、返却処理（再プレイ処理）を禁止するとともに、受付け中のビジター（会員）カードから読み出してカードテーブルに記憶している（会員）カードＩＤと会員ＩＤ（会員のみ）と、操作の禁止が完了した旨を示すＯＫとを含む計数開始応答を返信する。
【０２４７】
そして、計数の終了を判断した場合には、カードユニット３（制御ユニット３２８）に対して、新たに計数したパチンコ玉数である追加玉数と、該追加玉数を該計数以前の持玉数に加算した新たな持玉数と、当日の取引に対して付与される通し番号である取引通番、並びに受信した計数開始応答に含まれるカードＩＤと会員ＩＤ（会員のみ）とを含む計数終了通知を返信する。
【０２４８】
この計数終了通知の受信に応じてカードユニット３（制御ユニット３２８）は、該計数終了通知に含まれる新たな持玉数が、カードテーブルに記憶されている持玉数に該計数終了通知に含まれる追加玉数を加算したものに一致することを確認して、該新たな持玉数にカードテーブルの持玉数を更新するとともに、表示部３１２に表示されている計数済玉数の表示を、新たな持玉数に更新する。
【０２４９】
そして、ビジターカードカードを受付け中の場合には、さらに、カードリーダライタ３２７に受付け中のビジターカードに、該新たな持玉数を更新記録する。
【０２５０】
次いで、計数・払出ユニット４（制御部４１０）に対して、受信した計数終了通知に含まれる取引通番と、該ビジターカードのカードＩＤと会員ＩＤ（会員のみ）とを含む計数終了応答を返信した後、計数開始通知の受信に応じて実施した上記各処理の禁止を解除してＳｂ２〜Ｓｂ１０の待機状態に戻る。
【０２５１】
尚、計数終了応答を受信した計数・払出ユニット４（制御部４１０）は、該計数終了応答に含まれるカードＩＤと会員ＩＤ（ビジターカードの場合はなし）と取引通番とが、計数終了通知におけるカードＩＤと会員ＩＤ（ビジターカードの場合はなし）と取引通番と一致することを確認するが、管理コンピュータ１５０との通信状態がオフライン状態であるので、持玉加算要求を送信できず、管理コンピュータ１５０におけるビジター貯蓄管理テーブルにおいて管理されている持玉数とビジターカードに記録されている持玉数とが異なるとともに、会員カードには、持玉数を直接記録できないので、これら持玉数が管理コンピュータ１５０における会員貯蓄管理テーブルに未反映の状態のままとなる。
【０２５２】
尚、これら（会員）カードＩＤと会員ＩＤ（会員のみ）と追加玉数と新たな持玉数とは、前述したように、持玉加算履歴として記憶され、通信状態がオンライン状態に復帰したときに管理コンピュータ１５０に送信される。
【０２５３】
このような状態において、受付け中のビジターカードを所持する遊技者が返却ボタンを操作した場合には、通常のオンライン時と同じように、図２１或いは図２２に示す処理が実施される。尚、この場合においては、排出されるビジターカードには、オフラインフラグが記録されることになる。
【０２５４】
また、上述したように持玉数が管理コンピュータ１５０に未反映の状態において、受付け中の会員カードを所持する会員遊技者が返却ボタンを操作した場合には、通常のオンライン時と同様に、現金の受付け、貸出ボタンの操作、再プレイボタン３１９の操作を無効とすることで、貸出処理、発行・入金処理、再プレイ処理を禁止する（図示略）とともに、計数・払出ユニット４（制御部４１０）に対してカード排出通知を送信する。
【０２５５】
このカード排出通知の受信に応じて計数・払出ユニット４（制御部４１０）は、前述したように持玉数の払出し並びに新規のパチンコ玉の計数を禁止するとともに、管理コンピュータ１５０との通信状態がオフライン状態であることに応じてカード排出結果（ＮＧ）を返信する。
【０２５６】
このカード排出結果（ＮＧ）を返信に応じて制御ユニット３２８は、多機能ランプ３０１の点灯態様を、対応する計数・払出ユニット４がオフライン状態において会員カードの返却が生じたことを示す所定の点灯色（例えばピンク）の点灯状態（高速点滅点灯）として、計数・払出ユニット４のオフラインによる会員カード返却エラーが生じたことを報知する。
【０２５７】
この多機能ランプ３０１の点灯状態により会員カード返却エラーが発生したことを認識した係員は、該カードユニット３に出向いて、所持しているリモコンに設けられている「トラブルモード」のボタンを、当該カードユニット３の突出部３０５に設けられているＩＲ受光ユニット３１５にリモコンを向けた状態において操作する。
【０２５８】
この操作により、該リモコンから「トラブルモード」のボタンの操作（トラブルモード操作）に応じた所定の赤外線信号が出力されることで、該赤外線信号がＩＲ受光ユニット３１５にてトラブルモード操作を特定可能な所定の電気信号に変換されて表示制御基板３２９に出力されることで、表示制御基板３２９から制御ユニット３２８に対し、トラブルモード操作に基づくトラブルモード設定情報が出力される。
【０２５９】
このトラブルモード設定情報の受信に応じて制御ユニット３２８は、多機能ランプ３０１によるエラー報知を終了するとともに、表示部３１２において、トラブルモードであることとカード処理中であることの表示を開始した後、計数・払出ユニット４（制御部４１０）に対してトラブルモードを開始した旨を示すトラブルモード（開始）を送信する。
【０２６０】
このトラブルモード（開始）の受信に応じて制御部４１０は、その時点における管理コンピュータ１５０との通信状態を再度確認し、オフライン状態が継続されている場合において上位システム切断通知と計数開始通知とを返信する。
【０２６１】
この上位システム切断通知の受信によって対応する計数・払出ユニット４の管理コンピュータ１５０とのオフライン状態が継続していることを確認した制御ユニット３２８は、カードリーダライタ３２７に排出留保指示を出力して、カードスロット３９２内の所定の読み取り位置に受付け中の会員カードを、カードスロット３９２内のカード挿入口３０９近傍位置に移動させて排出を留保させるとともに、カードスロット３９２内の所定の読み取り位置にカード貯留部３７０に収納されているビジターカードを移動させることができるようにする。
【０２６２】
そして、表示部３１２におけるカード処理中の表示を終了するとともに、カードリーダライタ３２７に発行カード読み取り指示を出力して、カード貯留部３７０に収納されているビジターカードをカードスロット３９２内の所定の読み取り位置にセットさせた後、計数・払出ユニット４（制御部４１０）からの計数開始通知の受信待ち状態に移行する。
【０２６３】
尚、これらビジターカードをセットする以前において計数・払出ユニット４（制御部４１０）から計数開始通知を受信した場合において制御ユニット３２８は、計数開始応答（ＮＧ）を返信するようになっており、該計数開始応答（ＮＧ）の受信に応じて計数・払出ユニット４（制御部４１０）は、繰返し計数開始通知を送信する。
【０２６４】
この計数開始通知の受信待ち状態において計数開始通知を受信した場合に制御ユニット３２８は、カードリーダライタ３２７に読み取り指示を出力して、カードスロット３９２内の所定の読み取り位置にセットされたビジターカードのカードＩＤを読み取った後、該カードＩＤを含むカード挿入通知を計数・払出ユニット４（制御部４１０）に返信して、発行するビジターカードのカードＩＤを通知する。
【０２６５】
このカード挿入通知の受信により制御部４１０は、該カード挿入通知に含まれるカードＩＤに対応付けて持玉数を記憶することで、オフライン状態からオンライン状態となったときに、該カードＩＤと持玉数とを含むトラブルモード処理履歴を管理コンピュータ１５０に送信できるようにするとともに、これら発行するビジターカードのカードＩＤの記憶が完了した旨としてカード挿入結果（ＯＫ）を返信する。
【０２６６】
このカード挿入結果（ＯＫ）を返信に応じて制御ユニット３２８は、ビジターカードの発行準備が完了した旨となる、前述した計数開始通知に対応する計数開始応答（ＯＫ）を計数・払出ユニット４（制御部４１０）に送信し、該計数開始応答（ＯＫ）に応じた計数終了通知を受信したことを条件に、カードスロット３９２にセット済みのビジターカードに持玉数を書き込み記録した後、発行するビジターカードへの持玉数の記録が完了した旨となる計数終了応答と該ビジターカードの排出の許諾を要求するカード排出通知とを送信する。
【０２６７】
このカード排出通知の送信に対応して計数・払出ユニット４（制御部４１０）からカード排出結果（ＯＫ）を受信したことを条件に制御ユニット３２８は、発行するビジターカードにオフラインフラグを書き込み記録した後、初めに、排出を留保している会員カードをカード挿入口３０９から排出し、該排出した会員カードがカード挿入口３０９から抜き出されたことに応じて、即座にビジターカードを排出することで、会員カードとビジターカードとを、連続してほぼ同時に排出するようになっており、このようにすることで、発行される持玉数が記録されたビジターカードの取り忘れが生じ難いようにされている。
【０２６８】
そして該会員カードとビジターカードの排出後において、トラブルモード（解除）を計数・払出ユニット４（制御部４１０）に送信して、トラブルモードの処理が完了したことを通知するとともに、カードテーブルをリセットする。尚、トラブルモード（解除）の受信に応じて計数・払出ユニット４では、パチンコ玉の計数が可能とされる。但し、対応するカードユニット３に発行可能なビジターカードの残数が０である場合は、上述したように、パチンコ玉の計数は可能とされない。
【０２６９】
そして、制御ユニット３２８は、多機能ランプ３０１の点灯態様を、カードの受付けが可能であることを示す所定の点灯色の点灯状態に更新するとともに、返却ボタンの操作により実施した各種操作の内、入金禁止を解除してＳｂ２〜Ｓｂ１０の待機状態に戻る。
【０２７０】
これら会員カードとともにビジターカードが返却された場合において会員遊技者は、会員カードとともに該ビジターカードを景品交換用ＰＯＳ端末１７０に持参して、該会員カードとビジターカードとを、係員により所定の操作に伴って景品交換用ＰＯＳ端末１７０に挿入することにより、管理コンピュータ１５０の会員貯蓄管理テーブルにおいて該会員カードに記録されている会員カードＩＤ並びに会員ＩＤに対応付けて記憶されている持玉数が、ビジターカードから読み出した持玉数に更新される。尚、これら持玉数の更新は、上述したトラブルモード処理履歴が管理コンピュータ１５０に記憶されていない場合、つまり、管理コンピュータ１５０と計数・払出ユニット４の通信状態がオフライン状態のままでも、実施される。
【０２７１】
また、会員カードとともにビジターカードを発行した後に、計数・払出ユニット４と管理コンピュータ１５０との通信状態が、オンライン状態となった場合には、図２５に示すように、計数・払出ユニット４（制御部４１０）からカードユニット３（制御ユニット３２８）に対して上位システム接続通知が送信されることで、上位システム切断フラグが、オフライン（接続）状態を示す「０」からオンライン（接続）状態を示す「１」に更新されるとともに、トラブルモード中に会員カードとともに発行されたビジターカードのカードＩＤと、該ビジターカードに記録された該持玉数とを含むトラブルモード処理履歴が管理コンピュータ１５０に送信されて記憶されることで、仮に、会員遊技者が発行されたビジターカードを誤って紛失しても、持玉数を特定できるようになっているとともに、上述した持玉加算履歴や持玉減算履歴が管理コンピュータ１５０に送信されることで、これらオフライン状態中における持玉数の変化数により、会員貯蓄管理テーブル或いはビジター貯蓄管理テーブルにおける持玉数が更新される。但し、持玉数が既に、発行されたビジターカードに記録された持玉数により更新済みである場合には、当然のことながら、これら持玉加算履歴や持玉減算履歴による持玉数の更新は実施されない。
【０２７２】
このように、オフライン（非接続）状態において持玉加算履歴や持玉減算履歴を記憶しておいて、通信状態がオンライン（接続）状態に回復したときに、これら持玉加算履歴や持玉減算履歴を送信して、管理コンピュータ１５０において持玉数を更新するようにすることは、仮に、持玉数が記録されたビジターカードとともに返却された会員カードが、景品交換用ＰＯＳ端末１７０に持参されず、且つ、該会員カードを返却したカードユニット３が対応する計数・払出ユニット４と管理コンピュータ１５０との通信状態がオフライン（非接続）状態のままであるときに、他のオンライン状態にある計数・払出ユニット４に対応するカードユニット３に挿入されて、持玉加算履歴や持玉減算履歴に基づく持玉数の差分が未反映の持玉数に対して、加算や減算の更新がなされていても、これら加算や減算の更新がなされた持玉数に、持玉加算履歴や持玉減算履歴に基づく持玉数の差分を迅速に反映させることができ、遊技場にとって不利益が生じることが発生すること（持玉加算履歴や持玉減算履歴に基づく持玉数の差分がマイナスである場合において、該差分を差し引くことが不能となってしまうこと）を極力解消することができるが、本発明はこれに限定されるものではなく、例えば、管理コンピュータ１５０において、持玉数照合要求並びに情報取得要求に含まれる（会員）カードＩＤを受付中カードＩＤテーブルに全て記憶しておき、該会員カード並びにビジターカードの排出に応じてカードユニット３から排出完了通知の受信に応じて、（会員）カードＩＤを含む排出完了通知を計数・払出ユニット４から受信して受付中カードＩＤテーブルから削除することにより、カードユニット３において受付け中の会員カード並びにビジターカードの（会員）カードＩＤを管理しておき、新たに持玉数照合要求並びに情報取得要求の受信したときに、該持玉数照合要求並びに情報取得要求に含まれる（会員）カードＩＤが既に受付中カードＩＤテーブルに記憶されている時には、ＮＧを返信することで、計数・払出ユニット４からカードユニット３に対してカード挿入結果（ＮＧ）を送信させることで、該会員カード並びにビジターカードを返却させて、使用できないようにしても良い。
【０２７３】
以上、本実施例によれば、獲得遊技媒体数となる持玉数が受付け中のビジターカード並びに会員カード（遊技用記録媒体）により特定可能とされるため、遊技者が、遊技を終了して遊技機を離れる際には、ビジターカード並びに会員カードのみの返却を受けて所持すれば良いので、遊技者の利便性を向上することができる。
【０２７４】
また、本実施例によれば、遊技媒体計数装置となる計数・払出ユニット４におけるパチンコ玉（遊技媒体）の計数に応じて獲得遊技媒体数となる持玉数が逐次、ビジターカード（遊技用記録媒体）に記録されるので、計数・払出ユニット４（遊技媒体計数装置）とカードユニット３との接続に不具合が生じた場合の遊技者の不利益の発生を低減できるばかりか、返却ボタンの操作（排出操作）の検知に応じて、迅速にビジターカード（遊技用記録媒体）を排出することができる。
【０２７５】
また、本実施例によれば、計数開始通知を受信した時点から計数終了応答を計数・払出ユニット４（遊技媒体計数装置）に返信する時点まで、返却ボタンの操作（排出操作）の検知に応じてビジターカード（遊技用記録媒体）を排出する返却処理が禁止されるので、計数終了通知から特定される持玉数（獲得遊技媒体数）のビジターカード（遊技用記録媒体）への記録が完了する以前に、該ビジターカード（遊技用記録媒体）が排出されてしまうことによる遊技者の不利益の発生を回避することができる。
【０２７６】
また、本実施例によれば、計数・払出ユニット４（遊技媒体計数装置）から計数開始通知を受信した場合における該計数・払出ユニット４（遊技媒体計数装置）との送受信内容が、会員カード（会員用記録媒体）とビジターカード（一般用記録媒体）との受付け時において同じとされることで、これら記録媒体の種別毎に、異なる通信用プログラムを開発したり異なる通信用プログラムを用いる必要がないので、開発コストの削減やプログラム容量の削減ができる。
【０２７７】
また、本実施例によれば、計数払出開始通知（払出開始通知）を受信した時点から減算終了通知となる計数引落完了通知を計数・払出ユニット４（遊技媒体計数装置）に返信する時点まで、返却ボタンの操作（排出操作）の検知に応じてビジターカード（遊技用記録媒体）を排出する返却処理が禁止されるので、計数・払出ユニット４（遊技媒体計数装置）において払出されるパチンコ玉数を減じた新たな持玉数（獲得遊技媒体数）のビジターカード（遊技用記録媒体）への記録が完了する以前に、該ビジターカード（遊技用記録媒体）が排出されてしまうことによる遊技者或いは遊技場の不利益の発生を回避することができる。
【０２７８】
また、本実施例によれば、計数・払出ユニット４（遊技媒体計数装置）から払出開始通知を受信した場合における該計数・払出ユニット４（遊技媒体計数装置）との送受信内容が、会員カード（会員用記録媒体）とビジターカード（一般用記録媒体）との受付け時において同じとされることで、これら記録媒体の種別毎に、異なる通信用プログラムを開発したり異なる通信用プログラムを用いる必要がないので、開発コストの削減やプログラム容量の削減ができる。
【０２７９】
また、本実施例によれば、離席モード開始通知を計数・払出ユニット４（遊技媒体計数装置）に対して送信することで、会員カードとビジターカード（遊技用記録媒体）の受付け以外の操作が禁止されるカードユニット３の離席モードと連携して、計数・払出ユニット４（遊技媒体計数装置）におけるパチンコ玉の計数や払出を禁止させることができるとともに、遊技者は、離席において会員カードとビジターカード（遊技用記録媒体）のみを所持するのみで良く、遊技者の利便性を向上できる。
【０２８０】
また、遊技場が各パチンコ機２において、該パチンコ機２にて獲得されたパチンコ玉数を計数することのできる本実施例のような各台計数のシステムを導入する場合において、既に導入済みのカードユニットが、本発明の遊技用装置であるカードユニット３のように、計数・払出ユニット４（遊技媒体計数装置）との接続機能を有しない場合には、これら計数・払出ユニット４（遊技媒体計数装置）の導入に加えて、該計数・払出ユニット４（遊技媒体計数装置）と接続するための制御ユニットの変更が必要となってしまうのに対し、本実施例のカードユニット３のように、予め計数・払出ユニット４（遊技媒体計数装置）と接続機能を備えるものが導入されている場合には、新たに計数・払出ユニット４（遊技媒体計数装置）のみを導入すれば良いので、各台計数のシステムを低コストにて構築することができる。
【０２８１】
また、カードユニットを新規に導入する時点において、各台計数のシステムを構築する具体的な計画が未だ無くても、本発明のカードユニット３（遊技用装置）を導入しておくことで、将来的に各台計数のシステムを低コストにて構築することが可能となる。
【０２８２】
以上、本発明の実施例を図面により説明してきたが、具体的な構成はこれら実施例に限られるものではなく、本発明の要旨を逸脱しない範囲における変更や追加があっても本発明に含まれる。
【０２８３】
例えば、前記実施例では、会員用記録媒体である会員カードに、会員識別情報となる会員ＩＤと遊技用価値識別情報であるプリペイド残額データとが記録された形態を例示しているが、本発明はこれに限定されるものではなく、例えば、会員識別情報並びに遊技用価値識別情報として会員カードＩＤのみを会員カードに記録しておき、これら会員カードＩＤにより会員遊技者を特定できるようにするとともに、システムコントローラにおいて会員カードＩＤに対応付けて管理されているプリペイド残額を、該会員カードＩＤにより特定できるようにしても良く、このように会員識別情報と遊技用価値識別情報とが同一の情報であっても良い。
【０２８４】
また、前記実施例では、計数・払出ユニット４（遊技媒体計数装置）から計数開始通知を受信したことに応じて、受付け中の会員カード並びにビジターカードから読み出した（会員）カードＩＤを含む計数開始応答を返信することで、該（会員）カードＩＤから計数後の持玉数を管理コンピュータ１５０によって特定できるようにしているが、本発明はこれに限定されるものではなく、これら計数開始応答においては、（会員）カードＩＤを含まない計数開始応答を返信し、これら（会員）カードＩＤとしては、カード挿入通知に含まれる（会員）カードＩＤを記憶しておいて使用するようにしても良い。
【０２８５】
また、前記実施例では、計数・払出ユニット４（遊技媒体計数装置）におけるパチンコ玉の払出が実施する以前において、ビジターカードの持玉数を減算更新するようにしているが、本発明はこれに限定されるものではなく、これら持玉数の減算更新を、計数・払出ユニット４（遊技媒体計数装置）におけるパチンコ玉の払出が完了した旨の計数払出終通知の受信に応じて、実施するようにしても良い。
【０２８６】
また、前記実施例では、計数・払出ユニット４（遊技媒体計数装置）と管理コンピュータ１５０との通信状態がオフライン状態において、返却操作が実施されたときに、会員カードの排出を留保し、ビジターカードへの持玉数の書き込み完了を待って会員カードとビジターカードとを排出することで、ビジターカード取り忘れを極力防止できるようにしているが、本発明はこれに限定されるものではなく、これら会員カードの排出を留保することなくカード挿入口３０９から排出するとともに、例えば、ビジターカードが更に排出されることを表示部３１２への表示や音声により報知して、ビジターカード取り忘れを防止するようにしても良い。
【０２８７】
また、前記実施例では、会員カード（会員用記録媒体）とビジターカード（一般用記録媒体）とが共に、共通のカード挿入口３０９から挿入、排出される形態を例示したが、本発明はこれに限定されるものではなく、これら会員カード（会員用記録媒体）とビジターカード（一般用記録媒体）とが個別の挿入口に挿入、排出されるものであっても良く、この場合にあっては、計数・払出ユニット４（遊技媒体計数装置）と管理コンピュータ１５０との通信状態がオフライン状態において、返却操作が実施されたときに、ビジターカードへの持玉数の書き込み完了を待って会員カードとビジターカードとを、個別の挿入口から排出すれば良い。
【０２８８】
尚、前記実施例では、会員カード（会員用記録媒体）とビジターカード（一般用記録媒体）とが共に、同形状のカードとされた形態を例示したが、本発明はこれに限定されるものではなく、これらビジターカード（一般用記録媒体）が、会員カード（会員用記録媒体）のリーダライタにより非接触にて読み取り、書き込みが可能な非接触ＩＣが搭載されたメダル状の記録媒体であっても良い。
【０２８９】
また、前記実施例では、取引通番を含む計数終了通知が、計数・払出ユニット４（制御部４１０）からカードユニット３（制御ユニット３２８）に送信され、該カードユニット３（制御ユニット３２８）において受付け中のビジターカードの持玉数が更新記録した後、該送信された計数終了通知の取引通番を含む計数終了応答が、カードユニット３（制御ユニット３２８）から計数・払出ユニット４（制御部４１０）に対して送信しているので、これら計数終了通知を送信する際に、計数・払出ユニット４（制御部４１０）とカードユニット３（制御ユニット３２８）との通信接続の状態が非接続（オフライン）となったとしても、該非接続（オフライン）が解消した際に、取引通番を含む計数終了応答がカードユニット３（制御ユニット３２８）から計数・払出ユニット４（制御部４１０）に対して送信されるか否かによって、計数・払出ユニット４（制御部４１０）は、該非接続（オフライン）が、計数終了通知の到達後に発生したものであるのか、計数終了通知の到達前に発生したものであるのか、すなわち、計数終了通知の到達によりカードユニット３において持玉数の更新記録が実施されているか否かを特定でき、再度、計数終了通知を送信して持玉数の更新記録を実施する必要があるか否かを判断できることから好ましいが、本発明はこれに限定されるものではなく、これら取引通番を用いない構成としても良い。
【０２９０】
また、前記実施例では、ビジターカードの持玉数の更新記録を、計数・払出ユニット４における計数毎並びに払出毎に実施するようにしているが、本発明はこれに限定されるものではなく、これら計数された玉数や払出された玉数により更新される持玉数（計数済玉数）を、カード返却時においてのみビジターカードに記録することで、ビジターカードへの書き換え回数を低減できるようにしても良い。
【図面の簡単な説明】
【０２９１】
【図１】本発明の実施例における遊技用システムの全体像を示すシステム構成図である。
【図２】本発明の実施例の遊技用システムに用いたパチンコ機２、カードユニット３並びに計数・払出ユニット４を示す正面図である。
【図３】本発明の実施例において用いたカードユニット３の構成を示すブロック図である。
【図４】本発明の実施例のカードユニット３に用いたカードリーダライタ３２７の構成を示す上面視断面図である。
【図５】本発明の実施例において用いたカードユニット３の突出部３０５を示す図である。
【図６】（ａ）は、本発明の実施例において用いたカードユニット３のカードテーブルを示す図であり、（ｂ）は、本発明の実施例において用いたカードユニット３の遊技情報テーブルを示す図であり、（ｃ）は、本発明の実施例において用いた会員遊技情報示す図である。
【図７】本発明の実施例において用いたカードユニット３から送信される送信データ列を示す図である。
【図８】本発明の実施例において用いた計数・払出ユニット４の構成を示すブロック図である。
【図９】本発明の実施例において用いたシステムコントローラ１００の構成を示すブロック図である。
【図１０】（ａ）は、本発明の実施例において用いたシステムコントローラ１００における会員カードテーブルを示す図であり、（ｂ）は、ビジターカードテーブルを示す図である。
【図１１】本発明の実施例において用いたシステムコントローラ１００におけるユニット管理テーブルを示す図である。
【図１２】本発明の実施例において用いた管理コンピュータ１５０の構成を示すブロック図である。
【図１３】（ａ）は、本発明の実施例において用いた管理コンピュータ１５０における会員貯蓄管理テーブルを示す図であり、（ｂ）は、ビジター貯蓄管理テーブルを示す図である。
【図１４】（ａ）は、本発明の実施例において用いた管理コンピュータ１５０における会員情報テーブルを示す図であり、（ｂ）は、会員別遊技履歴テーブルを示す図である。
【図１５】本発明の実施例において用いたカードユニット３において実施される処理内容を示すフロー図である。
【図１６】本発明の実施例において用いたカードユニット３と計数・払出ユニット４との処理内容を示すやりとり図である。
【図１７】本発明の実施例において用いたカードユニット３と計数・払出ユニット４との処理内容を示すやりとり図である。
【図１８】本発明の実施例において用いたカードユニット３と計数・払出ユニット４との処理内容を示すやりとり図である。
【図１９】本発明の実施例において用いたカードユニット３と計数・払出ユニット４との処理内容を示すやりとり図である。
【図２０】本発明の実施例において用いたカードユニット３と計数・払出ユニット４との処理内容を示すやりとり図である。
【図２１】本発明の実施例において用いたカードユニット３と計数・払出ユニット４との処理内容を示すやりとり図である。
【図２２】本発明の実施例において用いたカードユニット３と計数・払出ユニット４との処理内容を示すやりとり図である。
【図２３】本発明の実施例において用いたカードユニット３と計数・払出ユニット４との処理内容を示すやりとり図である。
【図２４】本発明の実施例において用いたカードユニット３と計数・払出ユニット４との処理内容を示すやりとり図である。
【図２５】本発明の実施例において用いたカードユニット３と計数・払出ユニット４との処理内容を示すやりとり図である。
【符号の説明】
【０２９２】
２              パチンコ機
３              カードユニット
４              計数・払出ユニット
１６            アウト球計数器
１００          システムコントローラ
１０２          ＣＰＵ
１０５          記憶装置
１０６          入力装置
１０７          表示装置
１０９          通信部
１５０          管理コンピュータ
１５２          ＣＰＵ
１５５          記憶装置
１５６          入力装置
１５７          表示装置
１７０          景品交換ＰＯＳ端末
３０９          カード挿入口
３１２          表示部
３１４          透明タッチパネル
３１５          ＩＲ受光ユニット
３２１          紙幣識別ユニット
３２７          カードリーダライタ
３２８          制御ユニット
３３４          通信部
３３５          通信部
３７０          カード貯留部
４０１          払出ボタン
４０２          玉切り払出しユニット
４０３          誘導管
４０４          計数玉流入路
４０５          投入ホッパ
４０６          流入口シャッタ
４０７          獲得玉計数器
４０８          第１通信部
４０９          第２通信部
４１０          制御部
【図１】
2010051551.tif 000003
【図２】
2010051551.tif 000004
【図３】
2010051551.tif 000005
【図４】
2010051551.tif 000006
【図５】
2010051551.tif 000007
【図６】
2010051551.tif 000008
【図７】
2010051551.tif 000009
【図８】
2010051551.tif 000010
【図９】
2010051551.tif 000011
【図１０】
2010051551.tif 000012
【図１１】
2010051551.tif 000013
【図１２】
2010051551.tif 000014
【図１３】
2010051551.tif 000015
【図１４】
2010051551.tif 000016
【図１５】
2010051551.tif 000017
【図１６】
2010051551.tif 000018
【図１７】
2010051551.tif 000019
【図１８】
2010051551.tif 000020
【図１９】
2010051551.tif 000021
【図２０】
2010051551.tif 000022
【図２１】
2010051551.tif 000023
【図２２】
2010051551.tif 000024
【図２３】
2010051551.tif 000025
【図２４】
2010051551.tif 000026
【図２５】
2010051551.tif 000027
【手続補正書】
【提出日】平成20年11月4日(2008.11.4)
【手続補正１】
【補正対象書類名】特許請求の範囲
【補正対象項目名】全文
【補正方法】変更
【補正の内容】
【特許請求の範囲】
【請求項１】
遊技機に１対１に対応して設けられ、かつ対応する遊技機における遊技にて獲得された遊技媒体数を計数するとともに、該計数された獲得遊技媒体数の範囲内の遊技媒体を対応する遊技機に払出す遊技媒体計数装置と通信可能であり、
遊技機における遊技に使用可能な遊技用価値の大きさを特定可能な遊技用価値特定情報が記録された遊技用記録媒体を受付けて、該受付けた遊技用記録媒体に記録されている遊技用価値特定情報を少なくとも読み出す記録媒体処理手段と、
前記記録媒体処理手段にて読み出した遊技用価値特定情報から特定される遊技用価値の大きさの少なくとも一部を使用し、該使用する遊技用価値の大きさに相当する遊技媒体を貸出すための遊技媒体貸出し手段と、
前記遊技媒体計数装置との通信を行う計数装置通信手段と、
前記遊技用記録媒体を排出するための排出操作を検知する排出操作検知手段と、
を備える遊技用装置であって、
前記計数装置通信手段にて前記遊技媒体計数装置から受信した獲得遊技媒体数を、前記記録媒体処理手段に受付け中の遊技用記録媒体により特定可能とするための特定化処理を行う特定化処理手段と、をさらに備え、
前記排出操作検知手段による排出操作の検知に応じて、前記遊技用価値特定情報が記録され、前記特定化処理がなされた前記記録媒体処理手段に受付け中の遊技用記録媒体を排出することを特徴とする遊技用装置。
【請求項２】
前記特定化処理手段は、前記特定化処理として、前記遊技媒体計数装置において遊技媒体の計数が実施されることにより該遊技媒体計数装置から送信される獲得遊技媒体数を受信する毎に、該受信した獲得遊技媒体数を前記記録媒体処理手段に受付け中の遊技用記録媒体に記録するための処理を行うことを特徴とする請求項１に記載の遊技用装置。
【請求項３】
前記特定化処理手段は、前記特定化処理として、前記遊技媒体計数装置における計数に基づく獲得遊技媒体数を前記記録媒体処理手段に受付け中の遊技用記録媒体に記録するための処理を行い、
前記遊技媒体計数装置において遊技媒体の計数が開始されたことに応じて該遊技媒体計数装置から送信される計数開始通知を受信した時点から、該開始された遊技媒体の計数が終了したことに応じて該遊技媒体計数装置から送信される該計数に基づく獲得遊技媒体数を特定可能な計数終了通知を受信することにより、該計数終了通知から特定される獲得遊技媒体数を遊技用記録媒体に記録するための前記特定化処理が完了した旨を特定可能な計数終了応答を該遊技媒体計数装置に返信する時点まで、前記排出操作検知手段による排出操作の検知に応じた遊技用記録媒体の排出を禁止することを特徴とする請求項１または２に記載の遊技用装置。
【請求項４】
前記遊技用記録媒体は、前記獲得遊技媒体数が記録されず、該獲得遊技媒体数が対応付けて管理される情報であって遊技場に会員登録した各会員遊技者を個々に識別可能な会員識別情報が記録された会員用記録媒体と、該会員識別情報が記録されず、前記獲得遊技媒体数が記録される一般用記録媒体とを含み、
前記記録媒体処理手段に前記会員用記録媒体を受付け中において、前記遊技媒体計数装置から計数終了通知を受信したときには、該計数終了通知から特定される獲得遊技媒体数を受付け中の会員用記録媒体に記録することなく前記計数終了応答を返信することを特徴とする請求項３に記載の遊技用装置。
【請求項５】
前記特定化処理手段は、前記特定化処理として、前記遊技媒体計数装置における計数に基づく獲得遊技媒体数を前記記録媒体処理手段に受付け中の遊技用記録媒体に記録するための処理を行い、
前記記録媒体処理手段に、前記獲得遊技媒体数が記録された遊技用記録媒体を受付け中に、前記遊技媒体計数装置において遊技媒体の払出操作が行われた旨を特定可能な払出開始通知を該遊技媒体計数装置から受信した時点から、該払出操作に応じて前記遊技媒体計数装置において払出される遊技媒体数を減じた新たな獲得遊技媒体数を該受付け中の遊技用記録媒体に更新記録する減算処理が完了した旨を特定可能な減算終了通知を該遊技媒体計数装置に返信する時点まで、前記排出操作検知手段による排出操作の検知に応じた遊技用記録媒体の排出を禁止することを特徴とする請求項１〜４のいずれかに記載の遊技用装置。
【請求項６】
前記遊技用記録媒体は、前記獲得遊技媒体数が記録されず、該獲得遊技媒体数が対応付けて管理される情報であって遊技場に会員登録した各会員遊技者を個々に識別可能な会員識別情報が記録された会員用記録媒体と、該会員識別情報が記録されず、前記獲得遊技媒体数が記録される一般用記録媒体とを含み、
前記記録媒体処理手段に前記会員用記録媒体を受付け中において、前記遊技媒体計数装置から払出開始通知を受信したときには、前記減算処理を実施することなく前記減算終了通知を返信することを特徴とする請求項５に記載の遊技用装置。
【請求項７】
前記遊技者が遊技を中断するための離席操作を受付けるための離席操作受付け手段を備え、
前記離席操作の受付けに応じて、前記遊技媒体計数装置に対し、離席モードを開始する旨を特定可能な離席モード開始通知を送信し、前記記録媒体処理手段に受付け中の遊技用記録媒体から読み出した、該遊技用記録媒体を特定可能な記録媒体識別情報を記憶して該遊技用記録媒体を排出するとともに、遊技用記録媒体の受付け以外の操作を禁止して離席モードを開始し、離席モード中に受付けた遊技用記録媒体から読み出した記録媒体識別情報が、該離席モードの開始時に記憶した前記記録媒体識別情報と一致することを条件に、離席モードを終了する旨を特定可能な離席モード終了通知を前記遊技媒体計数装置に送信するとともに、前記操作の禁止を解除して離席モードを終了することを特徴とする請求項１〜６のいずれかに記載の遊技用装置。
【手続補正２】
【補正対象書類名】明細書
【補正対象項目名】０００６
【補正方法】変更
【補正の内容】
【０００６】
上記課題を解決するために、本発明の請求項１に記載の遊技用装置は、
遊技機（パチンコ機２）に１対１に対応して設けられ、かつ対応する遊技機における遊技にて獲得された遊技媒体数（獲得玉数）を計数するとともに、該計数された獲得遊技媒体数の範囲内の遊技媒体を対応する遊技機に払出す遊技媒体計数装置（計数・払出ユニット４）と通信可能であり、
遊技機における遊技に使用可能な遊技用価値（プリペイド残額）の大きさを特定可能な遊技用価値特定情報（プリペイド残額データ、（会員）カードＩＤ）が記録された遊技用記録媒体（会員カード、ビジターカード）を受付けて、該受付けた遊技用記録媒体に記録されている遊技用価値特定情報を少なくとも読み出す記録媒体処理手段（カードリーダライタ３２７）と、
前記記録媒体処理手段にて読み出した遊技用価値特定情報から特定される遊技用価値の大きさの少なくとも一部を使用し、該使用する遊技用価値の大きさに相当する遊技媒体を貸出すための遊技媒体貸出し手段（制御ユニット３２８、貸出処理）と、
前記遊技媒体計数装置との通信を行う計数装置通信手段（通信部３３５）
前記遊技用記録媒体を排出するための排出操作を検知する排出操作検知手段（制御ユニット３２８、Ｓｂ５）と、
を備える遊技用装置（カードユニット３）であって、
前記計数装置通信手段にて前記遊技媒体計数装置から受信した獲得遊技媒体数（計数終了通知に含まれる持玉数）を、前記記録媒体処理手段に受付け中の遊技用記録媒体により特定可能とするための特定化処理（計数対応処理）を行う特定化処理手段（制御ユニット３２８）と、をさらに備え、
前記排出操作検知手段による排出操作の検知に応じて、前記遊技用価値特定情報が記録され、前記特定化処理がなされた前記記録媒体処理手段に受付け中の遊技用記録媒体を排出することを特徴としている。
この特徴によれば、獲得遊技媒体数が受付け中の遊技用記録媒体により特定可能とされるため、遊技者が、遊技を終了して遊技機を離れる際には、遊技用記録媒体のみの返却を受けて所持すれば良いので、遊技者の利便性を向上することができる。